(57)【要約】  本発明は、バッテリを備え、前記バッテリにより給電される、無線マウスからのマウス信号を受信するために配置された、内蔵の結合装置を有する、ポータブルデジタルコンピュータに関する。前記デジタルコンピュータは、内蔵の電流源と、固定された方法で実装され、電流源に接続された、電気的インタフェースとを備え、電気的インタフェースは、バッテリが充電されることが可能なように配置される。本発明は、さらに、無線マウスと、前記無線マウスの上面に配置された追加のスライドパッドとを備えた、ポータブルデジタルコンピュータのための入力装置に関する。本発明は、さらに、ノートブックの折りたたみ可能な機能部の３つの辺上に配置された凹部を備えた、特別な結合ベイに関する。前記結合ベイは、ノートブックキーボードの下に配置されるカーソル制御装置を機械的に結合するために使用され、また、本のタイプおよびハンドヘルドの形態でノートブックを使用するために、カーソル制御装置を背面側での操作用に再構成するために使用され、それにより、取り扱いと操作を向上するための、環状の指支持具を有する平らなマウスが、識別およびロック機能を備えたカーソル制御装置に加えて提供される。その上、分離型カーソル制御装置と、分離可能なキーボードとを備えたノートブックが開示される。ノートブックの、ヒンジにより折りたたみ可能な機能部を介した構成により、デスクトップＰＣが構成されることが可能である。
2007527045.tif 000002
【特許請求の範囲】
【請求項１】
ディスプレイ上のカーソルを制御するための相対位置データを、ユーザの手または手の少なくとも１本の指の対応する動きによって入力するための、取り外し可能な入力装置を有するモバイルデジタルコンピュータであって、前記入力装置は、前記ディスプレイ上の前記カーソルの制御を、前記入力装置が取り外されていない第１の操作状態、および前記入力装置が取り外された第２の操作状態の両方において行うことが可能である、モバイルデジタルコンピュータ。
【請求項２】
前記第２の操作状態において、前記入力装置が、ケーブル接続されたデータ通信装置を介して結合されている、中央処理ユニットを特徴とする、請求項１に記載のデジタルコンピュータ。
【請求項３】
前記第２の操作状態において、前記入力装置が、分離可能なケーブル接続されたデータ通信装置を介して結合されている、中央処理ユニットを特徴とする、請求項１に記載のデジタルコンピュータ。
【請求項４】
前記ケーブル接続されたデータ通信装置は、少なくとも、前記入力装置に向いた端において、および／または前記中央処理ユニットに向いた端において、プラグインコネクタ装置を装備した、ケーブル片を含むことを特徴とする、請求項３に記載のデジタルコンピュータ。
【請求項５】
前記第２の操作状態において、前記入力装置が、ワイヤレスデータ通信装置を介して結合されている、中央処理ユニットを特徴とする、請求項１に記載のデジタルコンピュータ。
【請求項６】
前記ワイヤレスデータ通信装置は、赤外線データ伝送装置であることを特徴とする、請求項５に記載のデジタルコンピュータ。
【請求項７】
前記ワイヤレスデータ通信装置は、無線周波数無線データ伝送装置であることを特徴とする、請求項５に記載のデジタルコンピュータ。
【請求項８】
前記入力装置は、デジタルコンピュータハウジングの凹部の中に、取り外し可能なように挿入されることが可能な、そして最上部に追加のスライドパッドを有する、マウス装置であることを特徴とする、請求項１〜７のいずれか一項に記載のデジタルコンピュータ。
【請求項９】
前記入力装置は、ハウジングの凹部の中に挿入されることが可能な、そして最上部に追加のトラックボール装置を有する、取り外し可能なマウス装置であることを特徴とする、請求項１〜７のいずれか一項に記載のデジタルコンピュータ。
【請求項１０】
前記凹部は、２リーフ式ノートブックのキーボードリーフの前端内のベイであることを特徴とする、請求項８または９のいずれか一項に記載のデジタルコンピュータ。
【請求項１１】
前記入力装置は、入力装置ハウジング内に配置されたバッテリによって給電されることを特徴とする、請求項１〜１０のいずれか一項に記載のデジタルコンピュータ。
【請求項１２】
前記第１の操作状態においては、前記デジタルコンピュータハウジング内に配置された電源が、前記バッテリを充電することが可能であることを特徴とする、請求項１１に記載のデジタルコンピュータ。
【請求項１３】
少なくとも１人のユーザの、識別および／または認証のためのデータを記憶するための、前記入力装置内に配置されたセキュリティデータ記憶装置を特徴とする、請求項２〜１２のいずれか一項に記載のデジタルコンピュータ。
【請求項１４】
前記セキュリティデータ記憶装置からデータを読み出し、読み出された前記データに依存して、少なくとも１つの有用な機能が完全に、または部分的に遮断される、操作の遮断状態を生成する、セキュリティ装置を特徴とする、請求項１３に記載のデジタルコンピュータ。
【請求項１５】
前記セキュリティ装置は、特に、前記入力装置とのデータ通信が生じていない場合に、前記操作の遮断状態を生成することを特徴とする、請求項１４に記載のデジタルコンピュータ。
【請求項１６】
前記セキュリティ装置は、特に、前記入力装置とのデータ通信が生じており、伝送されるデータが所定の条件を満たしている場合に、前記操作の遮断状態を取り消すことを特徴とする、請求項１５に記載のデジタルコンピュータ。
【請求項１７】
前記セキュリティ装置は、前記操作の遮断状態を取り消す前に、前記セキュリティデータ記憶装置内に記憶されたユーザ識別データを使用して、ユーザ識別を実行することを特徴とする、請求項１６に記載のデジタルコンピュータ。
【請求項１８】
前記セキュリティ装置は、前記操作の遮断状態を取り消す前、かつ、前記ユーザ識別の後に、パスワードまたはＰＩＮの問い合わせによって、ユーザ認証を実行することを特徴とする、請求項１７に記載のデジタルコンピュータ。
【請求項１９】
前記セキュリティ装置は、前記操作の遮断状態を取り消す前、かつ、前記ユーザ識別の後に、前記セキュリティデータ記憶装置内に記憶されたユーザ認証データを使用して、ユーザ認証を実行することを特徴とする、請求項１７に記載のデジタルコンピュータ。
【請求項２０】
前記入力装置に依存して、対応する設定を自動的に実行することが可能である、設定装置を特徴とする、請求項１〜１９のいずれか一項に記載のデジタルコンピュータ。
【請求項２１】
前記入力装置は、外部装置との相互作用のためにセットアップされることを特徴とする、請求項２０に記載のデジタルコンピュータ。
【請求項２２】
前記外部装置は、自動車であることを特徴とする、請求項２１に記載のデジタルコンピュータ。
【請求項２３】
前記外部装置は、ビル管理ユニットであることを特徴とする、請求項２２に記載のデジタルコンピュータ。
【請求項２４】
前記外部装置は、エンターテインメント電子装置制御であることを特徴とする、請求項２２に記載のデジタルコンピュータ。
【請求項２５】
前記外部装置は、住宅監視装置であることを特徴とする、請求項２２に記載のデジタルコンピュータ。
【請求項２６】
前記外部装置は、自動販売機であることを特徴とする、請求項２２に記載のデジタルコンピュータ。
【請求項２７】
前記外部装置は、公認人物識別装置であることを特徴とする、請求項２２に記載のデジタルコンピュータ。
【請求項２８】
前記入力装置は前記外部装置に、識別情報および／または認証情報および／または設定情報を提供することが可能であることを特徴とする、請求項２１〜２７のいずれか一項に記載のデジタルコンピュータ。
【請求項２９】
前記入力装置は、個人データを記憶するためにセットアップされることを特徴とする、請求項１〜２８のいずれか一項に記載のデジタルコンピュータ。
【請求項３０】
前記個人データは、バイオメトリクスデータ、年齢グループ特性、年齢データ、名前データ、出生データ、居住データ、資産データを含む群からの、少なくとも１つのデータ要素を含むことを特徴とする、請求項２９に記載のデジタルコンピュータ。
【請求項３１】
前記入力装置の少なくとも１つの機能は、前記ユーザの特定の相互作用が行われるまで遮断されることを特徴とする、請求項１〜３０のいずれか一項に記載のデジタルコンピュータ。
【請求項３２】
前記特定の相互作用は、特定の情報項目の入力、および／または、特定の対象との相互作用を含むことを特徴とする、請求項３１に記載のデジタルコンピュータ。
【請求項３３】
前記特定の情報項目は、パスワードまたはＰＩＮまたはＴＡＮであることを特徴とする、請求項３２に記載のデジタルコンピュータ。
【請求項３４】
前記特定の対象は、メカニカルキーまたはチップカードまたは文書であることを特徴とする、請求項３２に記載のデジタルコンピュータ。
【請求項３５】
前記入力装置は、テキストおよび／またはグラフィック情報を表示するための入力装置ディスプレイを備えることを特徴とする、請求項１〜３４のいずれか一項に記載のデジタルコンピュータ。
【請求項３６】
前記入力装置ディスプレイは、タッチスクリーンディスプレイを備えることを特徴とする、請求項３５に記載のデジタルコンピュータ。
【請求項３７】
前記入力装置は、前記ユーザによって、前記タッチスクリーンディスプレイを使用して入力される、相対位置データを受信するためにセットアップされていることを特徴とする、請求項３６に記載のデジタルコンピュータ。
【請求項３８】
前記入力装置は、前記タッチスクリーンディスプレイを操作することにより少なくとも１つの選択プロセスを起動するためにセットアップされていることを特徴とする、請求項３７に記載のデジタルコンピュータ。
【請求項３９】
コンピュータのディスプレイ上のカーソルを制御するための相対位置データを、ユーザの手の、または手の少なくとも１本の指の、対応する動きによって入力するための、入力装置であって、少なくとも１つの外部装置に結合することにより、識別データ、および／または、認証データ、および／または、前記外部装置のための設定データを提供するためにセットアップされている入力装置。
【請求項４０】
前記入力装置は、前記外部装置の中央処理ユニットに、ケーブル接続されたデータ通信装置を介して結合されていることを特徴とする、請求項３９に記載の入力装置。
【請求項４１】
前記入力装置は、前記中央処理ユニットに、分離可能なケーブル接続されたデータ通信装置を介して結合されていることを特徴とする、請求項４０に記載の入力装置。
【請求項４２】
前記ケーブル接続されたデータ通信装置は、少なくとも、前記入力装置に向いた端において、および／または前記中央処理ユニットに向いた端において、プラグインコネクタ装置を装備した、ケーブル片を含むことを特徴とする、請求項４１に記載の入力装置。
【請求項４３】
前記入力装置は、前記外部装置の中央処理ユニットに、ワイヤレスデータ通信装置を介して結合されていることを特徴とする、請求項３９に記載の入力装置。
【請求項４４】
前記ワイヤレスデータ通信装置は、赤外線データ伝送装置であることを特徴とする、請求項４３に記載の入力装置。
【請求項４５】
前記ワイヤレスデータ通信装置は、無線周波数無線データ伝送装置であることを特徴とする、請求項４３に記載の入力装置。
【請求項４６】
入力装置ハウジング内に配置されたバッテリを特徴とする、請求項３９〜４５のいずれか一項に記載の入力装置。
【請求項４７】
前記外部装置内に配置された電源が、前記バッテリを充電することが可能であることを特徴とする、請求項４６に記載の入力装置。
【請求項４８】
少なくとも１人のユーザの、識別および／または認証のためのデータを記憶するための、セキュリティデータ記憶装置を特徴とする、請求項３９〜４７のいずれか一項に記載の入力装置。
【請求項４９】
前記外部装置はセキュリティ装置を呈示し、前記セキュリティ装置は、前記セキュリティデータ記憶装置からデータを検出し、検出された情報に依存して、少なくとも１つの有用な機能が完全に、または部分的に遮断される、操作の遮断状態を生成するように、前記入力装置がセットアップされていることを特徴とする、請求項４８に記載の入力装置。
【請求項５０】
前記外部装置は、自動車であることを特徴とする、請求項３９〜４９のいずれか一項に記載の入力装置。
【請求項５１】
前記外部装置は、ビル管理ユニットであることを特徴とする、請求項３９〜４９のいずれか一項に記載の入力装置。
【請求項５２】
前記外部装置は、エンターテインメント電子装置制御であることを特徴とする、請求項３９〜４９のいずれか一項に記載の入力装置。
【請求項５６】
前記外部装置は、住宅監視装置であることを特徴とする、請求項３９〜４９のいずれか一項に記載の入力装置。
【請求項５３】
前記外部装置は、自動販売機であることを特徴とする、請求項３９〜４９のいずれか一項に記載の入力装置。
【請求項５８】
前記外部装置は、公認人物識別装置であることを特徴とする、請求項３９〜４９のいずれか一項に記載の入力装置。
【請求項５９】
前記入力装置は前記外部装置に、識別情報および／または認証情報および／または設定情報を提供することが可能であることを特徴とする、請求項３９〜５８のいずれか一項に記載の入力装置。
【請求項６０】
前記入力装置は、個人データを記憶するためにセットアップされていることを特徴とする、請求項３９〜５９のいずれか一項に記載の入力装置。
【請求項６１】
前記個人データは、バイオメトリクスデータ、年齢グループ特性、年齢データ、名前データ、出生データ、居住データ、資産データを含む群からの、少なくとも１つのデータ要素を含むことを特徴とする、請求項６０に記載の入力装置。
【請求項６２】
テキストおよび／またはグラフィック情報を表示するための入力装置ディスプレイを特徴とする、請求項３９〜６１のいずれか一項に記載の入力装置。
【請求項６３】
前記入力ディスプレイは、タッチスクリーンディスプレイであることを特徴とする、請求項６２に記載の入力装置。
【請求項６４】
前記入力装置は、前記ユーザによって、前記タッチスクリーンディスプレイを使用して入力される、相対位置データを受信するためにセットアップされていることを特徴とする、請求項６３に記載の入力装置。
【請求項６５】
前記入力装置は、前記タッチスクリーンディスプレイを操作することにより少なくとも１つの選択プロセスを起動するためにセットアップされていることを特徴とする、請求項６４に記載の入力装置。
【請求項６６】
バッテリを装備し前記バッテリによって給電されるケーブルレスマウスの、マウス信号を受信するためにセットアップされた内蔵の結合装置を含む、ポータブルデジタルコンピュータであって、内蔵の電源と、前記電源に接続され恒久的に組み込まれた電気的インタフェース（前記バッテリを充電するためにセットアップされている）とを特徴とする、ポータブルデジタルコンピュータ。
【請求項６７】
プラグインコネクタ装置を介して通されたシリアルバスによって前記マウス信号を受信するためにセットアップされた、プラグインコネクタ装置であって、前記プラグインコネクタ装置にマウスが接続された場合、前記シリアルバスは前記バッテリを充電するための前記電源を表すためにセットアップされ、前記内蔵の結合装置は非活動化され、前記マウス信号は前記シリアルバスを介して受信される、プラグインコネクタ装置を特徴とする、請求項６６に記載のポータブルデジタルコンピュータ。
【請求項６８】
前記シリアルバスは、ＵＳＢユニバーサルシリアルバス（Ｕｎｉｖｅｒｓａｌ  Ｓｅｒｉａｌ  Ｂｕｓ）であることを特徴とする、請求項６７に記載のポータブルデジタルコンピュータ。
【請求項６９】
前記シリアルバスは、ファイアーワイヤーバスであることを特徴とする、請求項６７に記載のポータブルデジタルコンピュータ。
【請求項７０】
前記ケーブルレスマウスを受け入れるためにセットアップされた凹部を特徴とする、請求項６６、６７、６８、または６９のいずれか一項に記載のポータブルデジタルコンピュータ。
【請求項７１】
ケーブルレスマウスを使用した、ポータブルデジタルコンピュータのための入力装置であって、前記ケーブルレスマウスの最上部に追加のスライドパッドが配置されている、入力装置。
【請求項７２】
ノートブックのハウジング内の凹部の中に挿入され固定されることが可能であるようにセットアップされたハウジングであって、前記凹部は、ベイ、くぼみ、または引き出し様の開口部である、ハウジングを特徴とする、請求項７１に記載の入力装置。
【請求項７３】
ポータブルデジタルコンピュータであって、
ａ）凹部を有するコンピュータハウジングと、
ｂ）前記コンピュータハウジング内に配置された電源と、
ｃ）ワイヤレスデータ伝送のための、第１の結合装置と、
ｄ）入力装置であって、
ｄａ）入力装置ハウジングと、
ｄｂ）バッテリと、
ｄｃ）前記第１の結合装置との前記ワイヤレスデータ伝送のためにセットアップされた、第２の結合装置と、
ｄｄ）カーソルを制御するための相対位置データを入力するための入力装置とを有し、
ｄｅ）前記入力装置は、ユーザの手の、または手の少なくとも一本の指の、対応する動きによる相似した相対位置データ、あるいは、前記入力ハウジングの、基盤を基準にした対応する動きによる相対位置データを受信するためにセットアップされている、入力装置と、
を有し、
ｅ）前記コンピュータハウジングの前記凹部は、前記入力装置ハウジングを受け入れるためにセットアップされており、前記入力装置ハウジングが前記凹部により受け入れられている場合、前記バッテリは前記電源によって充電されることが可能である、ポータブルデジタルコンピュータ。
【請求項７４】
データを伝送するための、ワイヤ接続された結合装置であって、前記結合装置はワイヤレスデータ伝送のために非活動化されることが可能であり、前記ワイヤ接続された結合装置は、前記入力装置ハウジングが前記凹部により受け入れられている場合は活動化されることが可能である、ワイヤ接続された結合装置を特徴とする、請求項７３に記載のポータブルデジタルコンピュータ。
【請求項７５】
ポータブルデジタルコンピュータのための入力装置であって、
ａ）前面表面および背面表面を有するハウジングと、
ｂ）電子制御ユニットと、
ｃ）前記前面表面上に配置され、前記制御ユニットに電気的に結合された、相対位置データを入力するための第１の入力装置と（前記第１の入力装置は、ユーザの手または手の少なくとも１本の指の対応する動きによる相対位置データを相似的に受信するようにセットアップされている）、
ｄ）前記背面表面上に配置され、前記制御ユニットに結合された、相対位置データを入力するための第２の入力装置と（前記第２の入力装置は、前記ハウジングの、基盤を基準にした対応する動きによる相対位置データを相似的に受信するようにセットアップされている）、
ｅ）前記ポータブルデジタルコンピュータに、前記第１の入力装置および／または前記第２の入力装置の相対位置データを伝送するための、電子通信装置とを有し、
ｆ）前記ハウジングは、前記ポータブルデジタルコンピュータのハウジング部において取り外し可能なようにロックされるようにセットアップされている、ポータブルデジタルコンピュータのための入力装置。
【請求項７６】
ポータブルデジタルコンピュータであって、
ａ）ハウジングと、
ｂ）請求項７５に記載の入力装置とを有し、
ｃ）前記入力装置は、前記ハウジングにおいて取り外し可能なようにロックされることが可能である、ポータブルデジタルコンピュータ。
【請求項７７】
ポータブルデジタルコンピュータであって、
ａ）２つの異なるユーザ設定可能な操作モードにおいて使用されることが可能な、前面表面および反対の背面表面を有するハウジングと、
ｂ）カーソルを制御するための相対位置データを入力するための入力装置と（前記第１の入力装置は、ユーザの手の、または手の少なくとも１本の指の対応する動きによる相対位置データを相似的に受信するようにセットアップされている）を有し、
ｃ）前記入力装置は、第１の操作モードにおいては、前記前面表面上に配置され、第２の操作モードにおいては、前記背面表面上に配置される、ポータブルデジタルコンピュータ。
【請求項７８】
前記第１の操作モードから前記第２の操作モードへの、およびその逆の変更は、前記入力装置が前記ハウジングから取り出され、変更された向きで再び挿入されることが可能であるという事実により行われることを特徴とする、請求項７７に記載のポータブルデジタルコンピュータ。
【請求項７９】
異なる入力装置が挿入されることが可能であることを特徴とする、請求項７８に記載のポータブルデジタルコンピュータ。
【請求項８０】
前記第１の操作モードから前記第２の操作モードへの、およびその逆の変更は、前記入力装置が、入力表面と平行に配置された回転軸を中心として回転させられることが可能であるという事実により行われることを特徴とする、請求項７７に記載のポータブルデジタルコンピュータ。
【請求項８１】
キーボードを有し、そして、スライドパッドと、少なくとも１つのスライドパッドキーとを有するノートブックであって、前記ノートブックは、前記スライドパッドおよび前記少なくとも１つのスライドパッドキーが、ハウジングの、前記キーボードと同じ側に配置された、第１の操作モードで操作されるようにセットアップされ、そして前記ノートブックは、さらに、前記スライドパッドおよび前記少なくとも１つのスライドパッドキーが、前記ハウジングの、前記キーボードとは反対の背面上に配置された、第２の操作モードで操作されるようにセットアップされる、ノートブック。
【請求項８２】
タッチスクリーンおよびペンホルダーであって、前記タッチスクリーンを操作するための操作ペンが、前記ペンホルダー内に収容されることが可能である、タッチスクリーンおよびペンホルダーを特徴とする、請求項８１に記載のノートブック。
【請求項８３】
ポータブルデジタルコンピュータであって、
ａ）第１のハウジングリーフおよび第２のハウジングリーフを備えた、コンピュータ装置を収容しているハウジングと（前記第１のハウジングリーフおよび前記第２のハウジングリーフは、本のように開閉されることが可能なように、ヒンジによって相互に接続されている）、
ｂ）前記第１のハウジングリーフの前面上に配置されたディスプレイ装置と、
ｃ）前記コンピュータ装置とデータを交換するための第１の伝送装置を備え、前記第２のハウジングリーフの前面上に取り外し可能なように配置された、キーボード装置と、
ｄ）前記コンピュータ装置とのワイヤレスデータ交換のための第２の伝送装置を備え、前記第２のハウジングリーフの凹部の中に取り外し可能なように挿入された、マウス装置とを有し、
ｅ）前記キーボード装置が取り外され、マウス装置が取り外された、前記第２のハウジングリーフの前面は、実質的に水平な基盤上に配置されることが可能であり、前記第１のハウジングリーフの背面と、前記第２のハウジングリーフの背面との間の角度は、９０°以下の値に調整可能であるような方法で、前記ハウジングは、実質的に水平な表面上に配置されるようにセットアップされる、ポータブルデジタルコンピュータ。
【請求項８４】
ハウジングと、指または手で操作可能な入力装置（マウスまたはマウス様の機能を有し、位置関連データを入力するために使用される）とを備える、ポータブルコンピュータであって、前記入力装置は、
ａ）前記コンピュータ内で使用するために、前記ハウジングのプラグイン式の凹部内に差し込まれることが可能であり、また、前記コンピュータの外部で使用するために、前記プラグイン式の凹部から抜かれることが可能であり、そして、これらの２つの状態において、前記コンピュータとの入力接続の状態にされることが可能で、それにより入力のために使用されることが可能であり、
ｂ）少なくとも、前記プラグイン式の凹部から取り外された状態において、前記コンピュータとワイヤレスで結合されることが可能であり、
ｃ）前記差し込まれた状態において、前記コンピュータを介して充電されることが可能な、独自のバッテリを有する、ポータブルコンピュータ。
【請求項８５】
少なくとも１つの画面を有するディスプレイ装置と、前記画面とは反対側での、前記コンピュータを保持している手の指を使用した、ナビゲーション操作のための機能モジュールとを有するモバイルデジタルコンピュータであって、前記機能モジュールは、分離されて外部マウスとして使用されることが可能である、モバイルデジタルコンピュータ。
【請求項８６】
少なくとも１つの画面を有するディスプレイ装置と、分離可能な機能モジュールとを有するモバイルデジタルコンピュータであって、分離された状態の前記機能モジュールは、前記ディスプレイ装置からの所定の最小距離の外部で効力を生じ、前記ディスプレイ装置は、前記所定の最小距離が超えられた場合、自動的に、
ａ）遮断され、および／または、
ｂ）前記ディスプレイ装置上でスクリーンセーバが活動化され、および／または、
ｃ）前記ディスプレイ装置はアイドル状態に置かれ、および／または、
ｄ）前記ディスプレイ装置はスイッチが切られ、
このもたらされた操作状態は、前記ディスプレイ装置の前記機能モジュールが前記所定の最小距離未満の距離に近づき、前記ディスプレイ装置に有効に結合された場合、再び取り消されることが可能である、モバイルデジタルコンピュータ。
【請求項８７】
前記ディスプレイ装置において提供される入力装置であって、前記もたらされた操作状態は、代替として、前記入力装置にパスワードを入力することによって取り消されることも可能である、入力装置を特徴とする、請求項８６に記載のデジタルコンピュータ。
【請求項８８】
前記機能モジュールは、少なくとも１つのさらなる機能のためにセットアップされていることを特徴とする、請求項８６または８７のいずれか一項に記載のデジタルコンピュータ。
【請求項８９】
前記さらなる機能は、カーソル制御機能を含むことを特徴とする、請求項８８に記載のデジタルコンピュータ。
【請求項９０】
前記さらなる機能は、データ記憶機能を含むことを特徴とする、請求項８９または８８のいずれか一項に記載のデジタルコンピュータ。
【請求項９１】
前記有効な結合は、無線信号により、赤外線信号により、またはケーブル接続により生成されることを特徴とする、請求項８６〜９０のいずれか一項に記載のデジタルコンピュータ。
【請求項９２】
前記有効な結合は、前記機能モジュールと前記ディスプレイ装置との間での、識別および認証を含むことを特徴とする、請求項８６〜９１のいずれか一項に記載のデジタルコンピュータ。
【請求項９３】
前記機能モジュールおよび前記ディスプレイ装置は、機械的に一体化されて完全な装置を形成するようにセットアップされていることを特徴とする、請求項８６〜９２のいずれか一項に記載のデジタルコンピュータ。
【請求項９４】
少なくとも１つの画面を有するディスプレイ装置と、一体化された状態および分離された状態の両方において有効な、一体型の分離可能なカーソル制御モジュールとを有するモバイルデジタルコンピュータであって、前記分離された状態において空きとなる結合ベイは、少なくとも１つの他の外部装置が前記結合ベイを介して有効に接続または結合されることが可能な方法で構築およびセットアップされ、前記カーソル制御モジュールと同じ結合インタフェースが使用されることが可能であり、および／または、少なくとも１つのさらなるインタフェースが前記結合ベイの側面端上で提供される、モバイルデジタルコンピュータ。
【請求項９５】
前記カーソル制御モジュールの前記インタフェースは、電源およびデータトラフィックの両方を提供し、前記カーソル制御モジュールは、分離の際にワイヤレス接続に切り替わり、外部マウスとして有効なままになることを特徴とする、請求項９４に記載のデジタルコンピュータ。 
【発明の詳細な説明】
【技術分野】
【０００１】
本発明は、モバイルの、および特にポータブルのデジタルコンピュータのための入力装置に、ならびに、入力装置を有するポータブルデジタルコンピュータに関する。
【背景技術】
【０００２】
ポータブルデジタルコンピュータは、最近、広く使用されるようになっている。そのようなポータブルデジタルコンピュータには、特に、いわゆるノートブックが含まれ、ノートブックにより意味されるのは、ディスプレイ装置を含む蓋部とキーボードを備えたベース部とが、本のように開閉可能なように、ヒンジ装置によって可動式に相互に結合された２リーフ式ポータブルデジタルコンピュータである。これとは別に、特に、シングルリーフであるように構築された、いわゆるタブレットＰＣコンピュータもある。最後に、小型装置として構築された非常にさまざまなポータブルデジタルコンピュータが、いわゆるパーソナルデジタルアシスタント（ＰＤＡ）の形態で市場を席巻している。
【０００３】
この文脈では、マウス機能を同様に頻繁に利用する、いわゆる電子ブックリーダが忘れられてはならない。そのような技術は、特に、先行公報国際公開第２００１０７３６７３  Ａ２号パンフレットおよび国際公開第１９９９０１５９８２  Ａ１号パンフレットに記載されており、これらの公報の内容は、これらへの言及により本開示の内容に明示的に含まれる。
【０００４】
ポータブル装置は、本特許の意味においては、常に、「モバイル」装置であることも意味している。ポータブル装置には、自動車などの輸送手段の中で使用可能な装置も含まれる。
【０００５】
上で略述したそれらのポータブルデジタルコンピュータの実際的な使用に関連する多くの適用の状況では、ユーザが、一般に「カーソル」と呼ばれるポインタを、ディスプレイ装置の画面上で、適切な入力装置を使用して、移動および配置できることが必要とされる。このための従来の補助器具は、いわゆる「マウス」である。マウスは、オペレーティングシステムおよび他のソフトウェアとの対話において、ディスプレイ装置上に示されたオブジェクトをユーザが配置および／または選択することを可能にする、移動可能な入力装置である。そのようなマウスは、例えば、米国特許第５，８０５，１４４号明細書により周知である。
【０００６】
マウスは、一般に、ユーザにより一方の手の指を使用して、またはさらに手のひらも使用して掴まれ、例えばテーブル表面などの、水平面上で前後に押されることが可能な、スライディング部からなる。スライディング部の中に装備されたセンサ装置は、マウスの移動を、マウスが移動させられた表面に相対的な経路長および経路方向に従って検出し、それらの移動量を、ケーブルリンクを介して、デジタルコンピュータを使用した適切な方法で伝達する。デジタルコンピュータは、次に、通常はオペレーティングシステムおよび／またはアプリケーションプログラムの構成要素である、特定のデータ処理プログラムを処理することによって、それらの移動量を解釈する。マウスにより制御される代表的な機能を次に示す。
１．ディスプレイ装置上の、適切な規則に従って機能を図記号化したものであるとユーザによってみなされる画面領域内に、マウスポインタを配置することにより、機能を選択する。
２．ディスプレイ装置上の、適切な規則に従って「ボタン」であるとユーザによってみなされる画面領域上に、マウスポインタが配置されている場合に、機能を始動させる、つまり、マウスキーを１回、または素早く連続して２回作動させる。
３．所定の形状モデルの枠組み内で、画面上の第１の位置と画面上の第２の位置との間で情報項目を印付ける、つまり、マウスポインタをディスプレイ装置上で第１の位置に配置し、次にマウスキーを作動させて、作動させたまま保ち、そして次に、マウスキーを作動させたまま保ちながら、マウスポインタを第２の位置に移動させ、最後に、マウスキーを放す。ここで、形状モデルは、例えば、矩形、直線状配置、楕円、またはそれに類するものであってもよい。
４．機能をスクロールする。
５．例えばコンテキストメニューなどの、選択肢情報を挿入する。
【０００７】
上述の機能リストは、例を示すことのみを目的としたものであり、本特許明細書の文脈には、マウスポインタにより可能なすべての機能も含まれる。
【０００８】
グラフィカルユーザインタフェースを有するほとんどすべてのプログラムは、マウスまたは同等の入力装置によってプログラム機能のナビゲーション全体を実行する可能性を、少なくとも任意選択で、ユーザに提供する。この例は、マイクロソフト（Ｍｉｃｒｏｓｏｆｔ）による「ウィンドウズ（登録商標）（Ｗｉｎｄｏｗｓ（登録商標））」オペレーティングシステムのナビゲーションの概念、または、リナックス（Ｌｉｎｕｘ）オペレーティングシステムの下で動作するコンピュータのためのユーザインタフェース「ＫＤＥ」のナビゲーションの概念である。専門家にとってこれらのユーザインタフェースは周知であり、したがって、ここではさらなる説明は行わない。
【０００９】
ローラーボールがスライディング部の下面に配置され、マウスが移動させられる土台の上でローラーボールが自由に回転しながら動いていくようになっているマウスは、広く使用されており、ローラーボールとスライディング部のハウジングとの間で結果として生成される相対的な動きは、例えばローラーを計測するなどの適切な方法で検出され、電気信号に変換される。ローラーボールは、物理的に損傷を受けやすく、その上、汚損も受けやすいため、マウスが押される表面上でのスライディング部の移動を、接触なしに光学的に検出する試みも存在し、その試みでは、いかなる場合にも存在する、またはマウスの土台上に配置された、光学的に検出可能な表面模様が、光感知手段によって検出され、動き信号に変換される。
【００１０】
基本的に、ローラーボールを備えたマウスは、ハウジングが、例えばテーブル上面などの、土台の上に静止して配置され、ローラーボールが、ユーザの一方の手の指を使用して、または親指の付け根のふくらみにおいて回転させられる、代替のモードでも使用されることが可能である。この操作モードのために最適化されたマウス装置は、「トラックボール」とも呼ばれる。
【００１１】
例えば完全な選択プロセスなどを、簡単で、ユーザによって完全に理解された方法で実行できるようにするために、ハウジング上の適切な位置に、キー、調整ホイール、および他の操作要素を有する、マウスまたはトラックボール装置をそれぞれ提供することは、好都合であることが通常は見いだされる。
【００１２】
ポータブルデジタルコンピュータの実際の使用においては、ケーブルを備えたマウスおよびトラックボール装置は扱いにくいということが、常に見いだされてきており、その理由は、ユーザが、実際のデジタルコンピュータに加えて、マウスまたはトラックボール装置のそれぞれも、さらなる物体として持ち運ばなければならないためである。十分に長いケーブルを備えたマウスまたはトラックボール装置のそれぞれは問題を提起し、それは、一方で、輸送の前にケーブルが巻き上げられるか、または、もつれを防止するための別の方向で固定されなければならず、他方で、それに対応するほどくプロセスが、使用の前に必要となるためである。操作中に、付近に配置された他の物体にケーブルがひっかかり、ユーザに不快さと不便さを体験させる可能性がある。これらの問題に対処するために、スライディング部の動きデータがデジタルコンピュータに、短距離無線リンクを介して、または赤外線データ転送により、ワイヤレスで伝送される、いわゆる「ケーブルレス」マウスまたはトラックボール装置が既知である。
【００１３】
しかし、ポータブルデジタルコンピュータのユーザにとって、そのようなケーブルレスマウスまたはケーブルレストラックボール装置を使用するということは、３つの部分、つまり、ポータブルデジタルコンピュータ、デジタルコンピュータに接続するための短いケーブルスタブを備えた基地局、およびスライディングまたはトラックボール部を持ち歩かなければならないことを意味している。実際には、輸送の間、常に３つの部分すべてを梱包して確実に持ち歩かなければならないというのは、問題となることがわかっている。
【００１４】
電源は、さらなる問題を示し、その理由は、頻繁な使用により急速に放電する可能性があり、したがって頻繁に交換する必要があるバッテリを、十分なだけ持ち合わせている必要があるか、または、充電式電池の場合は、充電装置をさらなる構成要素として持ち歩く必要があるかの、いずれかであるためである。
【００１５】
これらの問題に対処するための、従来技術により既知のアプローチは、独立した部分としてのマウスまたはトラックボール装置を完全に省き、その代わりに、位置および変位データをポータブルデジタルコンピュータ内に直接伝送するためのセンサを組み込むことに存する。このアプローチの、広く使用されている例示的実施形態は、いわゆる「スライドパッド」である。「スライドパッド」は、数センチメートルの長さの辺を有する小さな領域であり、この領域には、領域上を移動する指先による滑り接触の間、動きの経路および動きの方向を表す信号がデジタルコンピュータによって検出され、さらに処理されることが可能なような方法で、適切なセンサが装備されている。同様に知られているソリューションでは、キーボード内に、キーボードの面からわずかに突き出たピンが配置され、そのピンは、指先を使用してそれに影響を及ぼすすべての力によって一方向に曲げられることが可能である。この力の影響は、適切なセンサにより計測され、動きの方向および動きの長さの信号として、デジタルコンピュータに伝送される。最後に、トラックボール装置がポータブルデジタルコンピュータ内に恒久的に組み込まれたソリューションも既知である。
【００１６】
改良のためのこれらのアプローチにより、梱包され輸送されなければならないのは１つの部分、つまりポータブルデジタルコンピュータのみとなるため、ユーザにとっての輸送の問題は大幅に簡素化されるが、しかし経験によれば、そのような恒久的に組み込まれたマウス代用品の人間工学的特性は、キーボードに非常に近接しているため、また、機械的なハウジングの寸法が常に小さく維持されていることにより、外部マウスまたは外部トラックボール装置の人間工学的特性に大幅に遅れをとるものである。
【００１７】
米国特許第５，１２６，９５５Ａ号明細書公報から、ケーブルにより接続されたスキャナマウスユニットを呈示するノートブックが既知である。これは、輸送の目的のために、格納部内にスキャナマウス部を格納することのみを意図したものである。キーボードの格納部内には、マウス機能はない。ケーブルは、動きの自由を制限し、可能性を限定する。マウス機能のためには、ローラーボールが使用される。
【００１８】
米国特許第５，０４９，８６３号明細書公報から既知のキーボードユニットは、ＰＣおよびノートブックに適用可能で、ケーブル接続の代わりに赤外線接続を指定するものではあるが、ローラーボールを介してマウス信号を生成するマウスを、キーセグメントを分離する可能性のために作成するために、部分キーボードセグメントが使用される。取り外されたキーボードセグメントは、その最上部に、キーボードのカーソルキーのみを装備し、それらのキーは、その配置により、およびその制限された有用性により、一体型ノートブックマウスに代わる同等機能は提供しない。一体型マウスが、追加して構築されなければならない。その上、取り外し可能なキーユニットは、充電不可能な乾電池によって給電されるが、乾電池は、特に集中的な使用の場合、頻繁に交換する必要がある。この文脈では、予備の電池を常に持ち合わせていなければならないということは、非常に不利である。さらなる欠点は、移動の自由をさらに制限する可能性がある、赤外線リンクである。その上、キーボードセグメントは、キーボードに挿入された場合、キーボードセグメントのための電源をオフにするためのスイッチを操作するということが、不都合なことに明示的に示されている。
【００１９】
米国特許第５，５４６，３３４Ａ号明細書公報からは、分離可能なキーボードおよび分離可能な一体型トラックボールマウスが既知であるが、これらが分離されるのは、修理のため、またはノートブックがトラックボールなしで使用される場合のみである。機械的な分離の後は、キーボードおよびトラックボールマウスのいずれも、ノートブックに電気的に接続されず、機能的に動作可能ではない。
【００２０】
米国特許第５，７２６，６８４Ａ号明細書公報からは、分離可能な一体型マウスをトラックボールとともに有するノートブックが既知であり、これらのマウスおよびトラックボールは、ケーブル、赤外線、または無線により操作されることが可能である。この目的のために、分離されたマウスは、ノートブックのハウジングからの取り外し後に裏返しにされ、したがって、水平面上を移動させられることにより、ローラーボールがマウス信号を生成できるようになる。ここでも、使い果たされた後は交換される必要がある、充電不可能な乾電池が装備されている。
【００２１】
米国特許第６，４７６，７９５Ａ号明細書公報から既知のノートブックは、それを使用することにより無線マウスを充電することが可能となるものである。ただし、この充電は、例えばＣＤ  ＲＯＭドライブを挿入するための、ノートブックのドライブベイ内に、この目的のために挿入されるモジュールを利用して、複雑な方法で行われる。この配置では、無線マウスは、補助モジュール内の中間バッテリを介して充電されることが可能である。ただしこれは、従来の無線マウスを充電することを意図したものである。示されているソリューションは、一体型マウスを分離して、外部マウスとしても使用できるようにするという目的は有していない。その代わりに、マウスは、第２の外部マウスとして輸送および保管されなければならない。充電モジュールは、ノートブック内に存続することが可能であるが、これにより、より重要である可能性があるモジュールのための結合インタフェースがふさがれる。したがって、このモジュールの、いかなる恒久的な一体化も、スペースとコストの理由から、かなり不利なものである。
【００２２】
米国特許出願公開第２００１／００３３２６７  Ａ１号明細書公報から、ワイヤレスでノートブックに有効に接続されることが可能な外部赤外線マウスなどの機能モジュールのための、いくつかの結合の可能性を有するノートブックが既知である。ただし、これは、恒久的に一体化されたマウスに対する追加の可能性として示されている。ノートブックのマウスは、ノートブックから取り外すことはできない。このソリューションは、外部に示された無線マウスの動きの自由を増加するために、ノートブック上のさまざまな位置にＩＲ送信装置を配置することに基づいている。結合可能なマウスモジュールの充電は示されていない。
【発明の開示】
【発明が解決しようとする課題】
【００２３】
したがって、本発明の目的は、ポータブルデジタルコンピュータのための改良された入力装置、および従来技術の欠点が解消された、または少なくとも大幅に減らされた入力装置を有する改良されたポータブルデジタルコンピュータを提案することである。
【課題を解決するための手段】
【００２４】
本発明によれば、本特許の基礎を形成する目的は、従属特許請求項の主題により達成される。従属請求項内には、それらの従属請求項で各場合に参照先となっている従属請求項の主題の発展形態が、各場合に見いだされる。
【００２５】
本発明により、ユーザの伝統的な使用習慣を考慮に入れた、最大のエルゴノミクスと機能性が、最小の構造的および技術的手段を用いて実現されることが可能となる。
【００２６】
本発明の第１の態様は、マウス、スライドパッド、またはトラックボールの一般的な機能を提供可能であり、それと同時に、一方で、ポータブルデジタルコンピュータ、特に、ノートブック、タブレットＰＣ、電子ブックリーダ、ポケットコンピュータ、プロジェクタ、または類似した装置の不可欠な構成要素であり、また、参照装置に接続されたこの状態において、特にスペースが不足している条件の下での適用例で、その機能を満足することが可能であり、しかし他方で、平坦な土台領域と十分なスペースがユーザに提供された適用状況において、デジタルコンピュータの周囲のより大きな動きの範囲内で、人間工学的に最適化された、かつ快適でリラックスした作業の可能性をユーザに提供するために、なんらかの方法で参照装置から機械的に分離されることが可能な、入力装置の作成に関係している。この文脈では、この入力装置を、操作しやすくかつ実用的、人間工学的かつ機能的に作成することが非常に重要であり、この目的のために、好ましい実施形態において、ワイヤ接続／ワイヤレスを組み合わせた実施形態が提案されており、この実施形態では、入力装置が機械的／電気的に結合された状態の適用例のためにモバイルデジタル装置内に配置されている場合に、操作者の人間工学の観点から、特に、入力装置内に配置されたバッテリの充電が非常に有利である。機械的に分離された状態で入力装置を使用するための、好ましいケーブルレスデータリンクから、機械的／電気的に結合された状態で入力装置を使用するための、ワイヤ接続されたデータリンクへの切り替えもまた有利である。特に、コンピュータへのケーブルレスリンクと、表面上のマウスの動きを検出するためのセンサタイプの走査装置との組み合わせにより、どこでも使用でき、汚れに対して保護された、つまり、煩わしいケーブルも、汚れたトラックボールの面倒なクリーニングもなしの、機械的部分を有さないコンパクトなマウスモジュールが可能となる。他方、デジタルコンピュータへのマウスの無線リンクがあまり適切でない、無線装置の使用が禁止される可能性のある状況が存在する。この状況には、例えば航空機内で、ノートブック自体の使用は許可される場合が含まれる。特に、ビジネス旅行者にとってノートブックを携帯することは、特に比較的長い飛行または旅行においてノートブックを使用して作業を行うために一般的であるため、モバイルデジタル装置への入力装置の、無線接続された接触から、ワイヤ接続された接触への切り替えは利点である。ほとんどの場合、旅行（例えば、航空機）においては、入力装置をマウスとして使用するための十分な表面はないため、入力装置を機械的／電気的に結合された状態で使用することは、いかなる場合でも適切である。無線リンクから赤外線リンクへの切り替えも、そのような問題を避けるための１つの可能性である。ユーザがマウスを使用して作業することを好む場合は、例えばＵＳＢなどの、機械的／電気的に結合可能な接続ケーブルを、これらの場合に使用することも可能である。
【００２７】
本発明の第２の態様は、比較的コンパクトな入力装置の、または平らな構成の入力装置の、マウスとしての分離された使用の場合の、人間工学的な操作性に関係している。ケースの比較的平らなリーフ内に入力装置を組み込むことにより、当然、入力装置もそれに応じて平らになり、分離された状態においてはコンパクトな構成になる。この入力装置は、従来のマウスよりも保管および輸送が簡単であり、以下の機能的特性をサポートするものではあるが、ユーザは、そのようなマウスの運動性および操作性に慣れていない。ここで、分離された入力装置をマウスとしてユーザがより良く掴んで操作することを可能にする機構を、装置に備えることは有利である。さらなる可能性は、モバイルデジタルコンピュータ内に入力装置を機械的にロックまたは固定するためにも、前述の掴み手機構を有利に使用することに存する。この実施形態は、ここに特に示した、マウスとして使用するための、デジタルモバイル装置内に組み込まれた入力装置のソリューションに限定されず、特にコンパクトなマウスの、人間工学的な操作のためにこのソリューションが適用される場合は、従来技術によるすべてのマウスに適用可能である。
【００２８】
本発明の第３の態様は、参照装置の不可欠な構成要素として入力装置が使用される場合に、入力装置と相互作用している参照装置が代替の操作状態に簡単な方法で置かれることが可能であるという点で、ポータブルデジタルコンピュータがその機能性においてさらに強化および改良されることに存し、この代替の操作状態では、参照装置が土台（テーブル上面など）上に寝かされて操作されるのではなく、片手または両手を自由に使用して少なくとも部分的に保持される場合に、背面からの操作も問題なく可能となる。マウス操作から手掴み操作に切り替えることにより、文書、本、およびその他のテキストが、本のタイプの形態で消費されることが可能となり、ここで、装置を掴んでいる手は、手を使用した手掴み操作により、この目的のために必要なすべての操作を、同時に装置を保持しながら行うことが可能である。この操作には、例えば、カーソルキー、および比較的穏やかな手の動きを使用して実行可能なその他の多数の機能を介した、例えば、ページ移動および／またはスクロール、選択情報（例えば、メニュー）の挿入、情報の選択が含まれる。したがって、例えば、アクロバット・リーダー（ａｃｒｏｂａｔ  ｒｅａｄｅｒ）およびその他のプログラムが、直感的に、かつ簡単な方法で操作されることが可能であり、また、ナビゲーション機能が実行されることも可能である。本発明は、ここに特に示した、デジタルモバイル装置内に組み込まれた、マウスとして使用するための入力装置のソリューションに限定されず、モバイルデジタルコンピュータへの結合によって手掴み操作が行われることを可能にする、従来技術によるすべてのマウスに適用可能である。
【００２９】
本発明の第４の態様は、入力装置の小さなサイズと、関連する良好な輸送可能性とにより、入力装置の機能が、さらなる追加機能によって有利に構築されることが可能であるということに存する。
【００３０】
入力装置の、第１の特に有利な追加機能は、モバイルデジタルコンピュータ内の個人データへの可能なアクセスを制御するという、第１のセキュリティ態様および関連する可能性に存する。前述の理由のための、個人セキュリティモジュールとして、本発明による入力装置は、操作位置を短時間または比較的長い時間でさえ離れることを、常に装置をシャットダウンする必要も、許可されていない第三者がコンピュータをいじり回さないよう監視する必要もなしに可能にするために、特に適している。セキュリティ要件によっては、スクリーンセーバは常に適しているとは限らず、特にその理由は、スクリーンセーバは、ある程度の時間の後にのみアクティブになるか、またはユーザが、アクティブにするのを忘れていない場合に、毎回アクティブにしなければならないためである。本発明による入力装置は、差し込んで携帯しなければならないということにより、入力自体の可能性（この場合は、一体型入力装置および外部マウスの両方）がもはや存在しない場合は、ソフトウェア制御のアクセス制御は別として、さらに単純で、より安全なものとなる。この場合、モバイルデジタル装置の所定の機能が、すべてではないにしても、ロックされて操作不能にされ、さらに、外部マウスまたはそれに類するものが、例えば別のＵＳＢインタフェースを介して結合されるのを防止するために、そして、許可を受けていない人が迂回路を介してデジタルコンピュータを使用するのを防止するために、外部コネクタインタフェースは、結合されても有効にされない。この目的のために、例えば、本発明による入力装置は、認証トークンの特性によって強化されてもよく、その場合、合法ユーザの識別情報を表す秘密が、適切な暗号手法を用いて入力装置内に記憶され、さらなる発展形態では、既知の暗号プロトコル（チャレンジ−レスポンス、およびその他の多くのプロトコル）を使用して、参照装置に提供される。認証コンポーネントのない純粋な識別機能の場合、関連するコンピュータは、例えば、識別固有のパスワード問い合わせによって認証を実行してもよい（つまり、関連するユーザは、入力装置内に記憶された識別コードから認識されるが、個人パスワードをキーボードに入力することによって、自分自身をさらに認証しなければならない）。入力装置のためのセキュリティ機能のこの拡張は、識別および認証機能に限定される必要はない。
【００３１】
入力装置の、第２の特に有利な追加機能は、入力装置を機密情報のための「安全な避難所」にするという、さらなるセキュリティ態様および関連する可能性に存する。したがって、入力装置は、例えばフラッシュメモリまたは小型のハードディスク記憶装置などの、メモリを装備していてもよい。リムーバブルメモリカードのための、入力装置内の結合インタフェースも可能である。これにより、カーソルを制御するための入力装置内に機密データを記憶することが可能となり、したがって、機密情報は、モバイルデジタルコンピュータ上に物理的に存在する必要さえなくなる。この利点は、ユーザが、例えば、短時間部屋を離れることを意図する場合、またはモバイルデジタルコンピュータなしで旅行に行きたい場合に、自分のプライベートデータまたは個人データ、あるいは極秘データさえも携帯するという事実にある。さらなる可能な実施形態は、例えばデジタル権利管理システムまたは支払機能の文脈における権利の証明など、他の多数の機能を扱う、チップまたはチップカードを使用して、入力装置を拡張するということに存する。この目的のために、入力装置は、特に、ＰＣＭＣＩＡカード（ＰＣカード）またはスマートカード（メモリおよび／またはプロセッサカード）を受け入れるためのスロットを備えていてもよい。本発明は、マウスとして使用するための、デジタルモバイル装置内に組み込まれた入力装置の、ここに特に示したソリューションに限定されず、上述の実施形態および／または機能を実現するならば、従来技術によるすべてのマウスに適用可能である。
【００３２】
入力装置の、第３の特に有利な追加機能は、輸送の目的のために、モバイルデジタルコンピュータはベース入力装置によって基本的に構成されることを、入力装置内に作成された設備によって確実にするという、さらなるセキュリティ態様および関連する可能性に存する。この目的のために、ノートブックのリーフ部が正しく閉じられることを可能にする、入力装置内のロック用穴が例として示され、このロック用穴により、さらに、入力モジュールは結合ベイ内に固定され、大きくて恒久的な揺さぶる動きがある場合でも、はずれ落ちることはできなくなる。他のモジュールまたは間違ったモジュール構成では、リーフ部が閉じられることは許可されないため、対応する方法のみで入力装置を使用および／または構成するよう注意が喚起される。この有利な実施形態の保護範囲は、カーソルを制御するための入力装置に限定されず、マルチリーフ式デジタルコンピュータ内の任意のタイプのモジュールを固定するために使用されてもよい。
【００３３】
入力装置の、第４の特に有利な追加機能は、本発明による入力装置を介して、２リーフ式ポータブルデジタルコンピュータの閉じられた蓋部をロックおよびロック解除するという、さらなるセキュリティ態様および関連する可能性に存する。モバイルデジタル装置内に結合されたカーソル制御用の入力装置が、輸送の目的のために含まれていて、許可を受けていない人が、入力装置を含む装置の使用を試みる可能性がある場合、ハードウェアのロックは有利である。リーフ部を開くこと、またはモバイルデジタル装置を単に起動することさえも、入力装置内またはモバイルデジタル装置内のそれぞれへの、対応する入力によってのみ可能となる。
【００３４】
入力装置の、第５の特に有利な追加機能は、ユーザインタフェースをセットアップするために入力装置を使用するという、さらなるセキュリティ態様および関連する可能性に存する。この目的のために、参照装置のために必要な設定およびセットアップパラメータデータが入力装置内に記憶され、それにより、例えばノートブックなどの参照装置は、本発明によるユーザ指向の入力装置を挿入または結合することにより、自動的に設定され、自らセットアップされる。もちろん、この目的のためのセットアップパラメータは、モバイルデジタルコンピュータ内にも記憶されてもよく、それにより、関連する入力装置の識別、および任意の必要な認証に成功した後は、対応するパラメータが、モバイルデジタルコンピュータのメモリから取得されてもよい。ユーザ固有のインタフェースのセットアップは、とりわけ、複数のユーザにより使用される会社のノートブックのために、特に有利である。本発明は、マウスとして使用するための、デジタルモバイル装置内に組み込まれた入力装置の、ここに特に示したソリューションに限定されず、従来技術からのすべてのマウスにも、そのマウスを使用してユーザ固有のインタフェースのセットアップが行われることが可能ならば、適用可能である。
【００３５】
入力装置の、第６の特に有利な追加機能は、入力装置にレーザーポインタを装備し、入力装置が、機械的に分離された状態で、プロジェクタまたはそれに類するものを使用したプレゼンテーションの目的のために使用されるようにし、それにより、有利には無線を介してモバイルデジタル装置に接続された、入力装置を介して、リモートコントロール機能を実行できるようにし、そしてまた、入力装置を使用して、プロジェクタの表示面上に、例えば光点表示を生成できるようにする可能性に存する。本発明は、マウスとして使用するための、デジタルモバイル装置内に組み込まれた入力装置の、ここに特に示したソリューションに限定されず、従来技術によるすべてのマウスにも適用可能である。
【００３６】
本発明の第５の態様は、モバイルデジタル装置の機能が、入力装置を結合するための結合ベイの特別な実施形態により、他のモジュールのために、および／または、外部装置および設備への接続のために有利に使用されてもよく、それにより、マウスとして使用するための入力装置の分離を使用する場合、有利な結合ベイは、他のモジュールまたは他のインタフェースによって、モバイルデジタルコンピュータを、その機能性において、またはそのシステム性能において拡張するために使用されてもよい、ということに存する。結合ベイの特に有利な実施形態は、ノートブックキーボードの下の側面端上の比較的中央に配置された、モバイルデジタル装置の少なくとも２つ、有利には３つの側面による、原則としてカーソル制御用の一体型入力装置がノートブック内に配置される領域内にある、凹部である。後の図で示す凹部は、少なくとも入力装置のサイズであり、前述のように多くの可能性をもたらし、特に、背面における手掴み操作のために入力装置を構成する可能性をもたらす。他の可能な実施形態により、さらなる利点が得られる。したがって、本発明による入力装置に加えて、他のモジュールを、空いている結合ベイに電気的および／または機械的に結合することが可能である。これは、マルチメディアカードまたはスマートカードなどの非常にさまざまなメモリカードまたはプロセッサカードを有効に接続するためのアダプタモジュール、（例えば、ＧＳＭ、ＧＰＲＳ、ＤＳＫ、モデム、ＧＰＳ、衛星放送受信機、ＴＶなどによって）モバイルデジタル装置の機能性を拡張するためのシステム拡張モジュール、および、記録装置モジュール、再生装置モジュール、ＤＲＭモジュール、外部メモリモジュール、プロセッサモジュールなどを含む。また、例えば、ＵＳＢポートを拡張するためのＨＵＢモジュールや、外部装置を接続するためのケーブルレスＬＡＮ通信用のアクセスポイントモジュールなどの、特別なインタフェースモジュールを挿入すること、つまり、電気的および機械的に結合することも可能である。もちろん、機械的に分離された入力装置は、依然としてデジタルコンピュータに電気的に接続されたままであり、結合ベイに他のモジュール（提供されている場合）が挿入されているにもかかわらず、マウスとして使用されてもよい。これは、入力装置に関して、ワイヤ接続された接続からケーブルレス接続に切り替えることにより可能であり、その理由は、切り替えによって、電源およびワイヤ接続された接触点が利用可能になるためである。結合ベイ内に電気的／機械的に挿入されてもよく、および／または、モバイルデジタルコンピュータにケーブルレスで、および／または、上述の入力装置と同じ方法でケーブルによって接続されてもよい、他の操作装置も、他の実施形態において可能である。これは、本発明によるシステムのさらなる利点を示し、その理由は、より新型の、または異なるタイプの入力装置が、カーソル制御用の元の入力装置に単に置き換わるべきである場合や、特別な要求により、短い間、他の操作機能が必要とされる、その他の場合が存在する可能性があるためである。例えば、コンピュータゲームのためのジョイスティック操作ユニット、またはメディアプレーヤのためのリモートコントロールユニットなどである。特に、これらの２つの適用例（ただし、これらに限定されない）のためには、プラグインモジュールを、コンピュータゲームのユニットとして、または、例えば、ＭＰ３プレーヤーとして、その制御ユニット、メモリ、およびパイロットコピーを防止するための任意のセキュリティ機構とともに提供することも可能であり、そのプラグインモジュールにおいて、さらに、さまざまな入力および出力の可能性が配置されるか、または接続されてもよい。
【００３７】
結合ベイは、モバイルデジタルコンピュータの機能性をさらに向させる、追加してセットアップされる複数のインタフェースがそこに配置されてもよいような方法で設計することも可能である。例えば旅行中などに、入力装置が機械的／電気的に結合されている状態では、これらのインタフェースは自動的に覆われるか、または保護され、その上、モバイルデジタル装置は視覚的にわずかに上品で、複雑でないように設計されることが可能であり、その理由は、すべての既存のコネクタインタフェースが継続的に、特に同時に、使用される必要はないためである。したがって、使用されることが少ない標準インタフェース、または特殊なアプリケーション用の特殊インタフェース、または複数個存在する必要がある冗長インタフェースを、モバイルデジタルコンピュータの結合ベイ内に配置することは有利である。
【００３８】
本発明の第６の態様は、本発明による入力装置を、ノートブック構成からデスクトップ構成を可能にするため、またはその逆を可能にするための、モバイルデジタルコンピュータのさらなる有利な構成のために使用することに存する。この目的のために、ノートブック内に組み込まれたキーボードも機械的に分離され、リーフ部は接続用ヒンジを介して折り返され、それにより、画面を有するリーフはＰＣモニタのようにユーザの方を向き、機械的に分離されたキーボードのためのリーフ部は、足として、または機械的に分離された入力装置のための土台として使用されてもよい。回転ヒンジは、ノートブックで通常行われるよりも大きな背後への回転が行われることが可能なように、ノートブックのリーフ部の間に構築および／または配置され、それにより、２つのリーフ背面間で（ユーザの視点から見て）少なくとも９０°の角度が可能となる。もちろん、すべての可能なデータおよび／または電源結合の可能性が、ここで実装されることが可能であるが、好ましい実施形態は、モバイルデジタルコンピュータへの、入力装置および／またはキーボードの、少なくともケーブルレス接続である。すでに述べた実施形態の変形に加えて、入力装置とキーボードとの間で、有利には前述のＵＳＢまたはファイアーワイヤー（ｆｉｒｅｗｉｒｅ）インタフェースを介して、接続可能なケーブルの接続が行われてもよい。キーボードは、さらに、バッテリを装備していてもよく、バッテリは、別の実施形態において、少なくともノートブックと機械的／電気的に結合された状態で、ノートブックの電源を介して充電されてもよい。このソリューションは、ユーザに、さらに多くの動きの自由を提供するものであり、その理由は、これにより、ユーザからの画面の距離も自由に選択することが可能となり、また、キーボードは、いかなる場合も、ノートブックのリーフ部全体のような、より少ないスペースを使用するためである。その上、ノートブックは、プレゼンテーションの目的のために、ケーブルリンクの理由により、リモートプロジェクタの付近に立てられてもよく、操作全体は、発表者から、キーボードおよび入力装置によって行われてもよい。
【００３９】
そのような入力装置を実装するには、電源および複雑な電子回路を提供することが必要となる。電源は、バッテリとして構築されてもよく、さらに、参照装置を、バッテリを充電するための充電スタンドとして使用することも可能である。多くの適用分野については、ハードワイヤードまたはプレプログラム電子回路システムを使用して、マウス、スライドパッド、および／またはトラックボールの機能性を制御すれば十分である。しかし、本発明によるソリューションの枠組み内で、入力装置を、独自の独立したコンピュータを有するものとして提供するように規定されてもよい。例えば、従来のスライドパッドの代わりに、タッチセンシティブスクリーンが使用されてもよい。そのようなアプローチにより、例えば、タッチセンシティブスクリーンと、参照装置への機械的および電気的なドッキングインタフェースとを（独立に使用されることも可能なそれらの装置が、本発明によるソリューションの意味における、入力装置としての目的に関して、それらの形態が変えられて、再び使用されることが可能なような方法で）提供することにより、携帯電話機またはＰＤＡポケットコンピュータを設計することが技術的に可能になる。
【００４０】
以下の記載においては、例示のために図面で（その中で表されている本発明の一般的な適用範囲を限定することなく）例示された例示的実施形態を参照して、本発明についてさらに詳しく説明する。
【発明を実施するための最良の形態】
【００４１】
図１は、部分図１ａ、１ｂ、および１ｃによって、２リーフ式ノートブックデジタルコンピュータ１００を使用した、本発明によるポータブルデジタルコンピュータの第１の実施形態の概略的な表現を、３つの異なる操作状態ａ、ｂ、およびｃについて示している。２リーフ式ノートブック１００は、蓋部１０１およびその中に挿入されたディスプレイ１０２と、プロセッサ部１０３およびその上に配置されたキーボード１０４とを備える。蓋部１０２およびプロセッサ部１０３は、ヒンジ装置１０５を使用して相互に機械的に結合されており、それにより、本のように開閉できるようになっている。プロセッサ部１０３はその内部に、中央処理ユニットと、作業用記憶装置および大容量記憶装置と、ノートブックのために通常使用されるその他の構成要素とを備えたメインボードなどの、詳細には図示していないシステム構成要素を含む。ノートブックにおいて一般に慣例となっているように、ディスプレイ１０２は、ヒンジユニット１０５を通して、プロセッサ部１０３内の電子部品に電気的に接続されている。
【００４２】
もちろん、記載されている例示的実施形態は、提示される本発明の、一般的な適用範囲を制限するものではない。特に、例えば、本発明によりカバーされる他の例示的実施形態では、プロセッサは蓋部の中に配置されることも可能であると考えられるべきである。キーボードも、異なる配置にされること、または省略されることが可能である。本発明は、ＰＤＡ、携帯電話機、電子ブックリーダ、メディアプレーヤ、リモートコントロール装置、移動体ＴＶ、無線およびビデオ装置、カメラ、およびプロジェクタも含む、すべての既知の電子モバイル装置に関する。
【００４３】
プロセッサ部１０３のハウジングは、その領域内の、ヒンジユニット１０５とは反対側の、ユーザ１０６に向いた側に、入力装置１１０を収容するためにセットアップされたベイ１０７を有する。図示されている例示的実施形態では、入力装置１１０は、最上部に、スライドパッド１１２と、第１の操作キー１１３と、第２の操作キー１１４とを有する。下面には、入力装置１１０は、ローラーボールとそれに対応するローラーボール動きセンサ（いずれも図示せず）、または光アンダーグラウンド走査装置（図示せず）を含み、これらはいずれも、マウスにも使用されている場合があるものである。さらに、入力装置１１０は、バッテリまたは蓄電池などの電源（図示せず）と、以下に記載する機能を生成することを可能にする、適切な電子回路（図示せず）とを含む。
【００４４】
図１ａに示すように、入力装置１１０がベイ１０７内に挿入されている場合、入力装置１１０は、適切なラッチ装置（図示せず）によって、このベイ１０７内にロックされていてもよい。図１ａに示す、この操作モードでは、ユーザ１０６は、スライドパッド１１２および／またはキー１１３、１１４を操作することによって、ノートブック１００に影響を及ぼすことができる。
【００４５】
プロセッサ部１０３および入力装置１１０は、それぞれの中に、（例えば、ブルートゥース（Ｂｌｕｅｔｏｏｔｈ）規格などによる）近距離無線リンクを介してデータを伝送するための装置、または、（例えば、ＩＲＤＡ規格による）赤外線リンクを介してデータを伝送するための装置などの、ワイヤレスデータ伝送のための適切な装置（図示せず）を有している。
【００４６】
図１ａに示す操作モードにおいて、プロセッサ部１０３と入力装置１１０は、プロセッサ部１０３内に配置された構成要素へのユーザ１０６による操作プロセスの結果として発生する情報信号を供給するために、少なくとも１つの電気的プラグインコネクタ装置（図示せず）またはその他の適切な接点装置（図示せず）によって相互に電気的に結合されているものと規定されてもよい。この操作モードでは、入力装置１１０への電力の供給は、プロセッサ部１０３によって、プラグインコネクタ装置を通して、またはその他の接点装置を通して処理されてもよい。
【００４７】
図１ｂに示すように、入力装置１１０がプロセッサ部１０３から取り外され、ベイ１０７から引き抜かれた場合、ユーザ１０６は、図１ｃに示すように、入力装置１１０をマウスのように使用することができる。ローラーボールセンサまたは光走査装置のそれぞれによって生成された動き信号、ならびにキー１１３および／または１１４の操作を示す信号は、ワイヤレスデータ伝送のための装置（図示せず）を介してプロセッサ部１０３に転送され、そこで従来のマウス信号と同様に評価され、必要に応じて表示される。
【００４８】
使用を完了した後、ユーザは、輸送のため、または入力装置を電気的／機械的に結合された状態で使用するために、図１ａに示すように、プロセッサ部１０３のベイ１０７内に入力装置１１０を再びロックする。
【００４９】
図２は、２リーフ式ノートブックデジタルコンピュータ１００を使用した本発明によるポータブルデジタルコンピュータの、図１に示す第１の実施形態の好ましい発展形態による、本発明のさまざまな可能な使用を模式的に示す。図２ａに示す操作状態は、図１ｂに示す操作状態に対応している。発展した実施形態では、プロセッサ部１０３内のベイ１０７の中への、入力装置１１０の挿入は、操作要素、特にスライドパッド１１２およびキー１１３、１１４が、プロセッサ部１０３の、キーボード１０４と同じ側に配置される、図１にすでに示した第１の向き以外で行われてもよい。代わりに、発展した実施形態では、プロセッサ部１０３内のベイ１０７の中への、入力装置１１０の挿入は、操作要素、特にスライドパッド１１２およびキー１１３、１１４が、プロセッサ部１０３の、キーボード１０４が配置されているのとは反対の側（プロセッサ部１０３の下面１２０）に向けられる、第２の向きでも行われてもよい。この特性により、ヒンジユニット１０５が実質的に垂直方向に向けられて、ノートブック１１０が本のように保持されている場合、入力装置１１０は、ノートブック１１０を保持している手１０６の指を使用して背面上で操作されることが可能である。スライドパッド１１２およびキー１１３、１１４を装置１００の背面側に向ける、入力装置１１０のこの向きの変更により、装置１００を把持または保持すると同時に、装置を保持している手の指を使用して開始される多数の機能を実行することが可能となる。
【００５０】
有利には、手掴み操作モードが再結合プロセス自体によってセットアップされ、それにより、入力装置の入力手段を介した最適な、しかし人間工学的かつ自然でもある操作のために、装置を掴んでいる手の背面側の指によって、対応する機能を使用することが可能になる。したがって、入力手段のソフトウェア制御型プログラミングを使用すれば、スイッチオンされた手掴みモードにより、例えばキーおよび／またはジョグダイヤルを用いる多数の機能（分離されたマウス、またはキーボード側に組み込まれた入力装置では、同じ方法で、または自然に行うことは不可能なもの）が実行可能になる。この機能には、特に、キーを使用したページ移動、および／または、ジョグダイヤルを使用した、ディスプレイ上で水平方向に表示された情報項目を選択するためのスクロールおよび／または制御、または、ディスプレイ上で垂直方向に表示された情報項目を選択するためのスクロールおよび／または制御が含まれる。さらに、図１に示すキー１１３および１１４の両方を押すことにより情報選択肢（例えば、メニュー）を挿入すること、または、ジョグダイヤルを押すことにより選択情報を挿入すること（確認すること）も可能である。
【００５１】
特定の電子ブック表示プログラム、または、例えば、ＰＤＦファイルを表示および操作するためのアクロバット・リーダー（Ａｃｒｏｂａｔ  Ｒｅａｄｅｒ）は、特に有利な方法で可能である。一実施形態では、入力装置１１０が挿入されると、関連する機能が自動的に再プログラムまたは設定される。この機能には、特に、デジタルコンピュータまたは画面のスイッチのオンまたはオフ、ペン入力モードや省エネルギーモードなどの活動化または非活動化、ページ移動および／またはスクロール、別の操作モードへの切り替え、装置および／またはソフトウェアの特性のセットアップ、ディスプレイ上での情報提供、ディスプレイ上での情報選択、ディスプレイ上に表示された情報の選択および／または印付け、ディスプレイ上に表示された情報の移動、印付けまたは入力された情報の確認、ならびに画面上に表示されている、または表示されていない、その他の機能の実行が含まれる。入力装置１１０の実施形態は、内部に構築されるセンサの構成に関して、異なっていてもよい（スライドパッド、キー、ローラーボール、容量型センサ、感圧式スクリーン、多機能キー、４ウェイロッカースイッチ、およびその他のキーなど）。さらに、配置された入力キーを、組み合わせてまたは同時に操作すること、および／または、前面のキー上またはセンシティブディスプレイ領域上の親指による入力と組み合わせて操作することも可能である。これに関連して、最初に述べた公報国際公開第２００１０７３６７３  Ａ２号パンフレットおよび国際公開第１９９９０１５９８２  Ａ１号パンフレットへの特別な参照が行われる。指定された公報から、専門家にとってこれらは既知であるため、ここでは可能性を再び記載しない。
【００５２】
図２ｂ１は、左利きの人向けの好ましい配置における、２リーフ式ノートブック１００のキーボードおよび画面側の上面図を示し、図２ｂ２は、右利きの人向けの好ましい配置における、２リーフ式ノートブック１００のキーボードおよび画面側の上面図を示す。図２ｃ１は、左利きのユーザ１０６によって本のように保持された、図２ｂ１に示したノートブック１００の背面を示す。図２ｃ２は、同様に、右利きのユーザ１０６によって本のように保持された、図２ｂ２に示したノートブック１００の背面を示す。モバイルデジタルコンピュータの画面上に表示される情報の向きは、有利には、入力装置の構成、および／または、装置が保持または配置される方法に依存する。これは、従来技術により既知であるためここでは詳しく説明しない、重力スイッチ（センサ）によって自動的に、またはユーザによる入力によって、あるいは両方の組み合わせによって行われてもよい。
【００５３】
図２ｄ１は、入力装置１１０を挿入するためのベイ１０７を本発明に従って装備したノートブック１００の、図１に示す実施形態の発展形態の、例示的な概略電子ブロック図を模式的に示す。電源１９０は、充電制御装置１９１の入力に接続されている。充電制御装置１９１の出力は、ベイ１９７内の、第１の電気的プラグインコネクタまたは接点装置１９２に接続されている。ノートブック１００の中央処理ユニットＣＰＵ  １９３は、通信装置１９４と電気的接点接続１９５Ａおよび／または１９５Ｂとの間の（双方向の可能性もある）データストリームを、切り替え装置１９３Ｂによって有効にしてもよい。切り替え装置１９３Ｂの別の動作状態では、中央処理ユニット１９３は、通信装置１９４と、（例えば、ブルートゥース（Ｂｌｕｅｔｏｏｔｈ）プロトコル、ＩＲＤＡなどによる）ワイヤレスデータ伝送のためのトランシーバ装置１９６との間の、（双方向の可能性もある）データストリームを有効にする。
【００５４】
入力装置１１０は、ベイ１９７内の第１の電気的プラグインコネクタ装置１９２と接触させられることが可能な、第１の電気的プラグインコネクタ装置１９２Ａを有する。さらに、入力装置１１０は、ベイ１０７内の電気的プラグイン接続１９５Ａおよび／または１９５Ｂと接触させられることが可能な、第２のプラグインコネクタ装置１９５Ｃおよび／または１９５Ｄを有する。最後に、入力装置内には、（例えば、ブルートゥース（Ｂｌｕｅｔｏｏｔｈ）プロトコル、ＩＲＤＡなどによる）ワイヤレスデータ伝送のためのトランシーバ装置１９６Ｂが備えられ、このトランシーバ装置は、ノートブック１００内の対応する装置１９６との通信のためにセットアップされている。ノートブック１００と入力装置１１０との間のデータ交換は、したがって、任意選択により、電気的プラグインコネクタ装置１９５Ａ、１９５Ｂ、１９５Ｃ、および／または１９５Ｄを介してワイヤ接続された方法で行われるか、または伝送装置１９６を介してワイヤレスで行われてもよい。入力装置１１０は、バッテリ１９９により電力を供給される。入力装置１１０の内部処理、およびノートブック１００とのデータ交換は、例えば、特に、制御ユニット１９８などの、適切な電子回路によって制御される。
【００５５】
図２ｄ１および図２ｄ２に模式的に示す、特に発展させられた、電子装置、および電気的接点コネクタの配置により、プロセッサ部１０３に対する入力装置１１０の特に柔軟な向きが可能になる。ノートブックの最小構成では、以下が提供される。
ａ）入力装置１１０内のバッテリ１９９を充電するための、充電制御装置１９１、および第１の電気的プラグインコネクタまたは接点装置１９２、
ｂ）入力装置１００の、分離された操作状態のための、（例えば、ブルートゥース（Ｂｌｕｅｔｏｏｔｈ）プロトコル、ＩＲＤＡなどによる）ワイヤレスデータ伝送用のトランシーバ装置１９６、またはノートブック１００に入力装置１１０を電気的に接続するケーブルコネクタ用のプラグインコネクタまたは接点インタフェース、
ｃ）入力装置１１０の、結合された操作状態のための、ベイ１０７内の電気的接点接続インタフェース１９５Ａ。
【００５６】
さらなる装置の変形は、例えば、入力装置１１０上に配置されたキー１１３、１１４を、ユーザ１０６の好みによって、ヒンジ装置１０５に近い側に、またはプロセッサ部１０３の前端に近い側に配列するために、スライドパッド１１２に垂直な軸の周りの１８０°の回転によって入力装置の２つの異なる向きを提供するために必要な、すべての接点を含む。特に、この装置の変形では、入力装置１１０におけるさらなるバッテリ接点１９２Ｂ、および入力装置１１０における側面接点１９５Ｄが、追加して必要とされる。その他の位置および配置も可能である。
【００５７】
入力装置１１０が、スライドパッド１１２の平面と平行に、かつ、ハウジングの端に平行に延長された軸の周りに１８０°回転され、その結果として、入力装置１１０の、例として図示された入力手段１１２、１１３、および１１４が、背面から操作可能となるような、挿入された入力装置１１０のさらなる操作状態を作成するという追加の可能性のためには、ベイ１０７内のさらなる充電電流接点１９２Ｃ、およびベイ１０７の側壁内のさらなるデータストリーム接点１９５Ｂが、追加して必要となる。
【００５８】
入力装置１１０のハウジングおよびベイ１０７の、実質的に正方形の設計により、垂直軸の周りの９０°の回転によってそれぞれの場合に異なる、ベイに挿入された入力装置１１０のさらなる操作状態が提供される。もちろん、これにより、異なる操作状態または操作モードをセットアップすることが可能となり、このセットアップは、結合によりハードウェアまたはソフトウェアによって自動的に行われるか、ユーザによる入力によって行われるか、あるいは、それらの組み合わせ（選択可能な設定機能が、例えば結合の後に、自動的に提供され、入力によってそれらを選択および確認する）によって行われる。
【００５９】
充電制御装置（チャージコントローラ、抵抗器）は、デジタルモバイル装置内に配置する代わりに、入力装置内に、または任意の構成の結合モジュール内にも収容してもよい。
【００６０】
図２ｅ１は、スライドパッド１０２およびキー１１３、１１４がプロセッサ部１０３のキーボード側（前面）に配置され、そして、スライドパッドがプロセッサ部１０３のハウジング前端１８７側に位置するのに対して、キー１１３、１１４がヒンジユニット１０５側を向くような方法で配置された、入力装置１１０が挿入された、ノートブックの操作を示す。この配置では、例えば、接点コネクタインタフェース１９２、１９２Ａ、１９５Ａ、１９５Ｃが配置されているか、またはアクティブになっている。図２ｅ２は、スライドパッド１１２およびキー１１３、１１４がプロセッサ部１０３のキーボード側（前面）に配置され、そして、スライドパッドがヒンジユニット１０５側に位置するのに対して、キー１１３、１１４がプロセッサ部１０３のハウジング前端１８７側を向くような方法で配置された、入力装置１１０が挿入された、ノートブックの操作を示す。この配置では、接点コネクタインタフェース１９２、１９２Ｂ、１９５Ａ、１９５Ｄが配置されているか、またはアクティブになっている。図２ｆ１は、スライドパッド１１２およびキー１１３、１１４がプロセッサ部１０３の背面に配置され、そして、スライドパッドがプロセッサ部１０３のハウジング前端１８７側に位置するのに対して、キー１１３、１１４がヒンジユニット１０５側を向くような方法で配置された、入力装置１１０が挿入された、ノートブックの操作を示す。この配置では、例えば、接点コネクタインタフェース１９２Ｃ、１９２Ａ、１９５Ｂ、１９５Ｃが配置されているか、またはアクティブになっている。図２ｆ２は、スライドパッド１１２およびキー１１３、１１４がプロセッサ部１０３の背面に配置され、そして、スライドパッドがヒンジユニット１０５側に位置するのに対して、キー１１３、１１４がプロセッサ部１０３のハウジング前端１８７側を向くような方法で配置された、入力装置１１０が挿入された、ノートブックの操作を示す。この配置では、例えば、接点コネクタインタフェース１９２Ｃ、１９２Ｂ、１９５Ｄ、１９５Ｂが配置されているか、またはアクティブになっている。
【００６１】
図２ｇ１は、入力装置１１０が取り外されたノートブック１００の、対応する斜視図であり、図２ｇ２は、入力装置１１０が挿入されたノートブック１００の、対応する斜視図である。
【００６２】
図２ｇ１の斜視図では、（バッテリ１９９の充電中に電力を供給するための）接点装置１９２、およびノートブック１００と入力装置１１０との間のワイヤ接続されたデータ伝送のための接点装置１９５Ａ、１９５Ｂ、１９５Ｃの、例示的実施形態を見ることができる。この配置では、ノートブックのベイ１０７内の接点装置１９５Ａ、１９５Ｂは、バネ式の突出部として構築され、接点装置１９５Ｃおよび１９５Ｄ（図では見えない）は、入力装置１１０における対応する溝として構築され、溝の電気的接点表面は導電性の電気的接続を生成するように配置されている。もちろん、対応する溝はベイ１０７内に配置されてもよく、バネ式の突出部は入力装置１１０において配置されてもよい。
【００６３】
好ましい発展形態では、蓋部１０１は、突出したラッチ用ノーズ１８１を前端の領域内に有し、これは、ノートブック１００を閉じている間、ベイ１０７内に挿入された入力装置１１０内の対応するラッチ用穴１８２の中に掛止めされる。
【００６４】
このラッチ機構１８１、１８２の適切な詳細な発展形態により、一方で、蓋部１０１を閉じたままベイ１０７から入力装置１１０が誤って落ちることは不可能であり、他方で、モバイルデジタルコンピュータの装填ベイ内に入力装置が最初に正しく挿入されていなければ、ユーザ１０６はラッチ機構１８１、１８２を掛止めできないことを、実現することが可能となる。この有利な機構は、例えば、入力装置１１０が、マウスとして使用された後で忘れられ、放置されたままになるのを防止することを目的としている。入力装置１１０自体の中に、輸送の目的のための、モバイルデジタル装置１００の基本構成を確実にするための手段を構築することも、重要かつ有利であり、その理由は、そうしないと、カーソル制御が不可能な、入力装置１１０以外のモジュールが、装填ベイ内に挿入される可能性があるためである。ラッチ用ノーズ１８１とラッチ用穴との間の連係は、図２ｇ２においてより明確に図示および記載されている。
【００６５】
図２ｇ１．１は、図２ｇ１に示す実施形態の、特に好ましい変形を示す。現在では、データ信号に加えて、電力の供給にも使用可能な、ますます多くのシリアルデータバスシステムが使用されるようになっている。これのよく知られている例は、ＵＳＢユニバーサルシリアルバス（Ｕｎｉｖｅｒｓａｌ  Ｓｅｒｉａｌ  Ｂｕｓ）である。代替として、例えば、ファイアーワイヤー（ｆｉｒｅｗｉｒｅ）バスも考えられる。図２ｇ１．１には、ＵＳＢに基づく変型を示す。ベイ１０７内には、図２ｇ１に示す他の実施形態で電源プラグインコネクタ１９２が配置されている位置に、ＵＳＢプラグインソケット１９２Ｘが配置されている。入力装置１１０の対応する外部表面上には、対応するＵＳＢプラグ１９２Ｙが配置されている。ＵＳＢプラグ１９２Ｙが挿入されている場合、入力装置は、動作のため、およびバッテリ１９９を充電するための電力を、ＵＳＢソケット１９２Ｘを介してノートブック１００から受け取り、さらに、データトラフィックもＵＳＢを介して処理される。また、チャージコントローラ１９１を、ノートブック１００内ではなく、図２ｇ１．２に示すように、入力装置１１０内に配置することも可能である。ベイ１０７から入力装置１１０を引き抜くことにより、ＵＳＢ接続１９２Ｘ、１９２Ｙが分離された場合、入力装置１１０は自動的にバッテリ動作に切り替わり、入力装置１１０とノートブック１００は、ことによると自動的に、さらに提供されているワイヤレスデータ通信システムを介して通信を行う。図示されている例示的実施形態では、ベイ１０７内に、無線周波数または赤外線通信結合ポイン１９６が提供されている。ただし、もちろん、この無線周波数または赤外線通信結合ポイント１９６は、使用される詳細な技術の装備に応じて、ノートブック内、またはノートブック上の他の位置に配置されてもよい。図２ｅ１、図２ｅ２、図２ｆ１、および図２ｆ２の説明に関連して説明した、入力装置１１０の可能な回転に関する対称性の考慮は、この場合にも適用される。本例では、入力装置１１０が背面操作のために回転させられた場合でも使用可能であるようにするための、第２のＵＳＢプラグインソケット１９２Ｘ２が提供される。本実施形態の単純化された変形では、バッテリを充電するための通常の電源が入力装置１１０内に備えられ、さらに、入力装置１１０が結合された状態および分離された状態の両方において、ワイヤレス接続を介したノートブック１００とのデータ交換を可能にする、ワイヤレス情報伝送のための手段が、入力装置１１０内に排他的に備えられていてもよい。入力装置またはその他のモジュールを、ロック解除または排出するための、任意選択のキー１８３が、例えば、キーボードの下の充電ベイの隣に配置される。充電ベイ（凹部）内のモジュールの、ロックおよびロック解除、ならびに固定をそれぞれ行うための、その他の機構も可能である。
【００６６】
図２ｇ１．２は、図２ｇ１．１による、しかし別の、ただし好ましい実施形態の、非常に概略化された電子ブロック図を示す。入力装置１１０は、ベイ１０７内に配置されたＵＳＢプラグソケット１９２Ｘと接触させられることが可能な、ＵＳＢプラグ装置１９２Ｙを有する。モバイルデジタルコンピュータ内の電源１９０は、入力装置１１０内の充電制御装置１９１の入力に、インタフェース１９２ｘおよび１９２ｙを介して接続される。充電制御装置１９１の出力は、入力装置１１０内のＵＳＢプラグインソケット１９２Ｙの電源接続に接続される。充電制御装置（または、さらに抵抗器）１９１は、有利には、充電標示器とともに、ノートブック１００内ではなく入力装置１１０内に配置され、その理由は、それにより、その他のモジュールもＵＳＢ接続１９２Ｘに接続できるようになるためである。ノートブック１００の中央処理ユニットＣＰＵ１９３は、通信装置１９４とＵＳＢプラグインソケット１９２Ｘのデータ線との間の（双方向の可能性もある）データストリームを、切り替え装置１９３Ｂを介して有効にしてもよい。切り替え装置１９３Ｂの別の動作状態では、中央処理ユニット１９３は、通信装置１９４と、（例えば、ブルートゥース（Ｂｌｕｅｔｏｏｔｈ）プロトコル、ＩＲＤＡなどによる）ワイヤレスデータ伝送のためのトランシーバ装置１９６との間の、（双方向の可能性もある）データストリームを有効にする。
【００６７】
最後に、入力装置には、（例えば、ブルートゥース（Ｂｌｕｅｔｏｏｔｈ）プロトコル、ＩＲＤＡなどによる）ワイヤレスデータ伝送のためのトランシーバ装置１９６Ｂが装備され、このトランシーバ装置は、ノートブック１００内の対応する装置１９６との通信のためにセットアップされる。ノートブック１００と入力装置１１０との間のデータ交換は、したがって、任意選択により、ＵＳＢバス１９２Ｘ、１９２Ｙを介してワイヤ接続された方法で行われるか、または伝送装置１９６を介してワイヤレスで行われることが可能である。入力装置１１０は、バッテリ１９９により電力を供給され、バッテリ１９９は、ＵＳＢプラグ１９２Ｙの電源接続を介して充電されてもよい。入力装置１１０の内部処理、およびノートブック１００とのデータ交換は、例えば入力装置１１０内に配置された制御ユニット１９８を有する、適切な電子回路によって制御される。
【００６８】
バッテリ１９９が早期に低下した場合、バッテリ１９９に電力を充電するために、インタフェース１９２Ｘおよび１９２Ｙに代替としてＵＳＢケーブルを接続し、入力装置１１０をマウスとして使用してもよい。この場合は、前述のように、ケーブルレスデータ伝送から、ワイヤ接続されたデータ通信に切り替えることが可能である。切り替えは、自動的に、または、ユーザ（図示せず）による入力の後で発生してもよい。これにより、解放されたケーブルレス通信システム１９４を用いて、特に、他の目的のデータ伝送のための、他の装置および／または設備（図示せず）を、モバイルデジタルコンピュータ１００に接続することが可能になる。もちろん、入力装置１１０に含まれているバッテリ１９９は、入力装置１１０から取り外されてもよく、また、必要に応じて、入力装置１１０内の適切な構造により置き換えられてもよい。さらに、入力装置の充電は、外部装置を介して行うことが可能であり、これは、取り外されたバッテリ１９９にも適用される。
【００６９】
別の適用例では、他の装置および／または設備（図示せず）を、少なくとも１つのＵＳＢインタフェース１９２Ｘに接続することが可能であり、その場合、入力装置１１０は、少なくともカーソルを制御するために、モバイルデジタル装置に、マウスとして、ケーブルレスで、しかし効果的に、同時に接続されている。他の実施形態によれば、モバイルデジタルコンピュータ１００内で入力装置１１０を再構成するためのさらなるＵＳＢインタフェース１９２ｘ２に加えて、入力装置１１０が機械的に分離されている場合に複数の装置および／または設備（図示せず）を接続するための、他のインタフェース（図示せず）を、充電ベイ１０７内に配置することも可能である。接続は、モジュール（図示せず）を差し込むことにより、または、対応するインタフェース（図示せず）のための適切な規定されたケーブル（図示せず）を介して行われてもよい。また、他の装置への接続用に、複数のＵＳＢインタフェースを提供できるようにするために、例えばＵＳＢハブ（図示せず）の形態のインタフェースモジュールを、機械的／電気的に結合することも可能である。
【００７０】
図２ｇ１．３は、図２ｇ１．１および図２ｇ１．２によるＵＳＢインタフェースソリューションと、モバイルデジタルコンピュータ１００に入力装置１１０を機械的および電気的に結合するための、それらのソリューションのさまざまな可能な適用または使用とを、大幅に抽象化された例示的実施形態によって示す。以下の例では、簡単にするために、有効な電源または接続に対して「Ｐ」が使用され、有効なデータ通信リンクに対して「Ｄ」が使用される。例えば、電源としての１９０、およびシリアルデータケーブルとしてのＳＤは、ＵＳＢ接続を意味する。もちろん、本明細書に記載された機能を実現できるならば、他のシリアルデータバスシステム、または明示的に述べられていないものも可能である。ＵＳＢが、特に好ましいソリューションとして、また、理解を容易にするために言及されているのは、ＵＳＢが普及しているためである。
【００７１】
図２ｇ１．３ａでは、入力装置は、デジタルコンピュータ１００の装填ベイ１０７内に挿入され、入力装置への、電源１９０を介した電力Ｐの供給、およびシリアルデータケーブル（ＳＤ）を介したデータ通信Ｄの提供の両方を行う、ＵＳＢインタフェースに接続されている。
【００７２】
図２ｇ１．３ｂでは、入力装置は、デジタルコンピュータ１００の装填ベイ１０７の外部にあるマウスとして使用され、データ通信は、入力装置１００とモバイルデジタル装置１００との間の、例えば無線（ブルートゥース（Ｂｌｕｅｔｏｏｔｈ））または赤外線（ＩｒＤＡ）の、ワイヤレス接続を介して行われる。
【００７３】
図２ｇ１．３ｃでは、入力装置は、デジタルコンピュータ１００の装填ベイ１０７の外部にあるマウスとして使用され、データ通信は、例えば入力装置１１０がマウスとして使用されている間に入力装置１１０内のバッテリ（図示せず）を充電するために、入力装置１１０とデジタルコンピュータ１００との間でその後結合された、モバイルデジタル装置１００へのＵＳＢケーブル接続を介して行われる。
【００７４】
図２ｇ１．３ｄでは、入力装置は、デジタルコンピュータ１００の装填ベイ１０７の外部にあるマウスとして使用され、データ通信は、入力装置１１０とモバイルデジタル装置１００との間の、例えば無線（ブルートゥース（Ｂｌｕｅｔｏｏｔｈ））または赤外線（ＩｒＤＡ）の、ワイヤレス接続を介して行われ、それに加えて、例えば入力装置１１０がマウスとして使用されている間に入力装置１１０内のバッテリ（図示せず）を充電するために、入力装置とデジタルコンピュータとの間で、電源のためのケーブルが結合されている。この目的のために、図示していない切り替え装置を介して対応する構成を設定するために、ユーザは最初にデジタル装置内で対応する入力を行ってもよい。
【００７５】
図２ｇ１．３ｅでは、入力装置は、デジタルコンピュータ１００の装填ベイ１０７内に挿入され、入力装置への、電源１９０を介した電力Ｐの供給、およびシリアルデータケーブル（ＳＤ）を介したデータ通信Ｄの有効化の両方を行う、ＵＳＢインタフェースに接続されており、ワイヤレス通信のための通信装置は、別の、あるいは外部の装置または設備のそれぞれと通信を行っている。この装置または設備は、例えばＰＣまたはノートブックなどの別のコンピュータ、プリンタ、あるいはその他であってもよい。
【００７６】
図２ｇ１．３ｆでは、例えばマルチメディアカードやフラッシュメモリカードなどのための、アダプタモジュールの形態の別のモジュールが、デジタルコンピュータ１００の装填ベイ１０７内に挿入され、モジュールへの、電源１９０を介した電力Ｐの供給（必要な場合）、およびシリアルデータケーブル（ＳＤ）を介したデータ通信Ｄの有効化の両方を行う、ＵＳＢインタフェースに接続されている。図２ｇ．１．３−ｂの場合と同様に、入力装置１１０は通信装置１９４に、ワイヤレスで有効に接続されている。
【００７７】
図２ｇ１．３ｇでは、入力装置は、デジタルコンピュータ１００の装填ベイ１０７の外部にあるマウスとして使用され、データ通信は、例えば入力装置１１０がマウスとして使用されている間に入力装置１１０内のバッテリ（図示せず）を充電するために、入力装置１１０とデジタルコンピュータ１００との間でその後結合された、モバイルデジタル装置１００へのＵＳＢケーブル接続を介して行われる。この場合、他の、あるいは外部の装置および／または設備のそれぞれは、図２ｇ１．３−ｅの場合と同様に、結果として解放された通信装置１９４を介して、好ましくは無線（例えば、ブルートゥース（Ｂｌｕｅｔｏｏｔｈ））を介して通信を行う。
【００７８】
図２ｇ１．３ｈでは、入力装置は、デジタルコンピュータ１００の装填ベイ１０７の外部にあるマウスとして使用され、データ通信は、例えば入力装置１１０がマウスとして使用されている間に入力装置１１０内のバッテリ（図示せず）を充電するために、入力装置１１０とデジタルコンピュータ１００との間でその後結合された、モバイルデジタル装置１００へのＵＳＢケーブル接続を介して行われる。ただし、この場合は、装填ベイを他の目的のために利用可能なままにするために、入力装置は別のＵＳＢインタフェースに接続される。例えば、他のＵＳＢ装置を接続できるようにするために、ＵＳＢハブの形態のモジュールがモバイルデジタル装置１００の装填ベイ１０７内に挿入され、デジタルコンピュータの装填ベイ内のＵＳＢインタフェースに機械的および電気的に接続される。任意選択で、入力装置１１０もハブに接続されてもよい。この例示的実施形態は、本発明を使用するための、多種多様な可能性を示す。その上、装填ベイ１０７に、複数のコネクタインタフェースが装備されることが可能である。
【００７９】
図２ｇ２は、図２ｇ１．１に示すノートブック１００で、入力装置１１０が完全に挿入された場合を示す。この例では、モバイルデジタルコンピュータ１００の蓋部１０１内に配置されたラッチ用ノーズ１８１と、入力装置１１０内に形成されたラッチ用穴１９２ｕとの連係が示されている。ヒンジ１０５を介して少なくとも回転可能なように相互に接続されている２つのリーフ部１０１および１０３が閉じられた場合、２つのリーフ部１０２および１０３の両方をロックして固定し、さらに、入力装置１１０をデジタルコンピュータ１００内にロックして固定するという目的のために提供されている、ラッチ用穴１９２ｕの中に、ラッチ用ノーズ１８１がはめ込まれる。図２ｇ１で説明したように、これにより、輸送中に、例えば極端に揺さぶる動きがある場合でも、入力装置がはずれ落ちることは不可能になり、それと同時に、必要な入力装置１１０を有するモバイルデジタルコンピュータ１００の基本構成が、輸送のためにセットアップされていることが確実になる。
【００８０】
有利なことに、他のモジュールは、入力装置の基本機能を含んでいないものである限り、このラッチ用穴を有していないため、輸送中に不注意で間違ったモジュールが結合され、その結果として、デジタルコンピュータ１００が操作不能になるということはなくなる。さらに、入力モジュール１１０がなければリーフ部１０１および１１３を正しく閉じることはできないため、このソリューションにより、入力モジュール１１０を置き忘れることもより困難となる。
【００８１】
入力装置が基本構成内にあるときのみ輸送を行うことが可能な場合、入力装置１１０が異なる構成（図示せず）でモバイルデジタル装置内に輸送の目的で挿入されていても（例えば、図２ｃ１および図２ｃ２に従って、入力装置の入力手段が背面（図示せず）に配置されていても）、対応するラッチ機構によるロックが同様に提供され有効となるようにすることも可能である。これが必要となる可能性があるのは、ノートブックのロックまたはロック解除を行うという目的で、またはその他の定義済みの理由により、ノートブックが閉じられた状態（図示せず）で入力が実行されるべき場合である。さらなる可能な実施形態（図示せず）では、表示領域の背面側を向いた第２のラッチ用ノーズ（図示せず）、または、例えば２つのロック用留め金（図示せず）が配置された、旋回可能なラッチ用ノーズが提供され、それにより、ノートブックをタブレットＰＣ（図示せず）に構成変更するために特別なヒンジ構成（図示せず）によりディスプレイ部１０１を１８０°回転させることが可能となる場合に、リーフ部１０１および１０３がやはり相互に固定されることが可能となる。これにより、タブレットＰＣ構成においても入力装置１１０を固定すること、または、タブレットＰＣ（図示せず）のためのマウスとして、機械的に分離された状態で入力装置１１０を使用すること、または、入力装置１１０を使用した背面操作がタブレットＰＣのためにセットアップされるような方法で、入力装置１１０をタブレットＰＣ（図示せず）内でさまざまに構成することが可能となる。この目的のために、タブレットＰＣ構成においても、手掴み操作のために再構成された入力装置１１０を介してリーフ部１１０がリーフ部１０３に固定されることが可能となるような方法で、第１のラッチ用穴１８２が構成および配置されていない場合は、さらなるラッチ用穴（図示せず）が入力装置１１０内に配置されてもよい。
【００８２】
入力装置１１０による特別なロックまたはクローズ機構の、その他の利点は、以下のとおりである。
【００８３】
ラッチ用ノーズ１８１により、入力装置１１０はモバイルデジタル装置１００内に輸送の目的で固定されるため、モジュールを保持または固定するための他の構成（図示せず）を省くことができ、それにより、入力装置１１０またはその他のモジュールの、機械的および電気的な結合と分離のそれぞれを、比較的容易かつ迅速に行うことが可能となる。
【００８４】
ｂ）機密保護の要求のレベルによっては、例えばラッチ機構（図示せず）などの設備を、入力装置１１０自体の中に構築することができ、それにより、セキュリティ入力装置などのモジュール１１０を後日販売することが可能になる。したがって、単純な入力装置１１０を有するモバイルデジタルコンピュータ１００の安価な基本構成を生産および販売することができ、例えば、ロックまたはラッチ機構、ｐｉｎまたはパスワード入力機能、ペン入力機能を備えている可能性もあるディスプレイ、内蔵メモリなどを有する、特別な入力装置１１０を構築するためのコストは、特別モデルとしての入力装置１１０に転嫁することが可能となる。
【００８５】
クローズ、ロック、および／または固定機構の、他の構成が、保護カバーを制限することなしに可能である。発展形態においては、固定された入力装置１１０または他の固定されたモジュール（図示せず）を、ロック解除または排出するためのキー１８３が、装填ベイの付近に配置されてもよい。
【００８６】
図２ｇ３は、図２ｇ２に示すノートブック１００の、タッチスクリーンを備えた変形を、本のように取り扱うための異なる配置で示すものであり、この図では、ユーザは、圧力ペン１７６（これを使用することにより、タッチスクリーン上で入力を実行できる）を、ヒンジ装置１０５内に配置された圧力ピンハウジング１７７内に収容している。
【００８７】
図２ｇ４は、本発明のさらなる実施形態を示し、この実施形態は、特に、改良された保持のための入力装置１１０について、および、モバイルデジタルコンピュータ１００の装填ベイへの、入力装置１１０または他のモジュール（図示せず）の挿入または取り外しによる構成機能を有する、装填ベイ構成についてのものである。
【００８８】
図２ｇ４ａ〜図２ｇ４ｃは、モバイルデジタルコンピュータ１００のプロセッサまたはキーボード部１０３の有利な装填ベイ１０７からの、入力装置１１０の取り外しを示す。この配置では、２つの可能な実施形態が有利である。マウスとして使用される場合の入力装置１１０の保持を向上するために、例えば、恒久的にマウスに配置されるか、またはマウスのハウジングから鋏のように広げることが可能な、２つの環状の指支持具１１１ａおよび１１１ｂが、入力装置１１０（以下では、単に「マウス」とも呼ばれる）において配置される。環状の指支持具１１１ａおよび１１１ｂは、その平らな構成により、ユーザの手が入力装置をよりよく保持できるようにするために、または、保持している手の指をそこに固定するために使用される。この目的のためには、図２ｇ４ｈに示すように、２つの指の指先を、その目的のために提供されている開口部に挿入するために、親指と薬指を用いて環状の指支持具を操作し、マウス上に配置されているキーを、人差し指と中指を用いて従来の方法で操作することが有利である。環状の指支持具１１１ａおよび１１１ｂにより、マウスを操作する手は、よりしっかり掴むことができるようになり、さらに、入力装置１１０に置かれた指が滑ってずれる危険やねじられて弱められる危険なしに、水平移動を行うことができるような方法で、入力装置１１０に置かれた手が安定する。
【００８９】
図２ｇ４ｆおよび図２ｇ４ｇは、入力装置１１０のハウジング内で回転可能なようにサポートされ、マウス様の操作の目的のためにハウジング１１０から出されることが可能な、環状の指支持具１１１ａおよび１１１ｂの第１の可能性を示すもので、図２ｇ４ｆでは、環状の指支持具１１１ａおよび１１１ｂは、マウスまたは入力装置１１０のそれぞれのハウジング内に待機させられており、図２ｇ４ｇでは、より快適なマウス操作のために、環状の指支持具１１１ａおよび１１１ｂは、マウスまたは入力装置１１０のそれぞれのハウジングから外に拡張させられている。
【００９０】
この配置では、環状の指支持具１１１ａおよび１１１ｂを、適切な機構を介して手動で拡張させること、および収納することが、その目的のために提供されている手段を操作することにより可能であり、または、この配置では、環状の指支持具１１１ａおよび１１１ｂを、バネ式の装置１１１ｃによって入力装置１１０のハウジングから外に拡張させられたままにし、モバイルデジタル装置１００が、例えば上着やズボンのポケットに入れられて、輸送される場合にのみ、モバイルデジタル装置１００の装填ベイ１０７内にマウスが機械的に結合される際に、環状の指支持具１１１ａおよび１１１ｂがマウスのハウジング内に機械的に挿入されるか、または押し込まれるようにすることが可能である。この場合、ラッチまたは保持機構（図示せず）により、２つの環状の指支持具１１１ａおよび１１１ｂが固定され、ユーザが対応する操作により保持具を取り外すまではそのままになるようにすることが可能である。さらに、弾性の環状指支持具の少なくとも一部および／または一部の力が、デジタルコンピュータ１００の（入力装置１１０を導く、および／またはロックするという目的のために構築され提供されている）装填ベイ１０７内に、入力装置１１０を導くため、および／またはロックするために使用されるようにすることが可能である。本発明による、環状の指支持具１１１ａおよび１１１ｂを有する入力装置１１０またはマウスの、単純ではあるが堅牢な実施形態では、環状保持具は、入力装置またはマウスに固定的に取り付けられ、それにより指支持具の環状部分は、恒久的に図２ｇ２  ４に示す構成となる。この利点は、入力装置１１０またはマウスのハウジングに、他の構成要素のためのスペースがより多く提供されるということ、そしてさらに、恒久的な機械的装填により、汚れやすさが避けられるということである。その上、環状の指支持具１１１ａおよび１１１ｂは、モバイルデジタル装置１００内に入力装置１１０を導くため、およびロックするために、賢明に使用されてもよい。他の実施形態、特に、著しく平らなマウス上に指先を固定するための実施形態、または、マウスのハウジングの容積を増加するための機構を、手による把持および操作の向上を得るという目的のために備えた実施形態も可能である。指支持具の形状、数、および配置もまた例示的であり、非常にさまざまな実施形態で実装されてもよい。このソリューションは、本特許明細書の意味におけるモバイルコンピュータのための一体型カーソル制御装置１１０ではない、コンピュータマウスにも、明示的に関連している。
【００９１】
図２ｇ４ａ〜図２ｇ４ｄは、本発明によるデジタルコンピュータ１００およびその分離可能な入力装置１１０に関する、さらなる特に有利な発展形態を示す。この目的のために、装填ベイ１０７を覆うため、または閉じるために提供される、摺動蓋１３２が装備される。例えば結合された入力装置１１０または他の結合されたモジュールにより、リーフ部１０３内の装填ベイ１０７が、デジタルコンピュータ１００内の入力装置１１０のために開けられたままとなるべき状態では、装填ベイの蓋１３２は、図２ｇ４ａおよび図２ｇ４ｂに示すように、その初期構成において、装填ベイ１０７の隣の一方の側に留まる。視覚的な理由のため、または装填ベイ１０７内に配置されたインタフェース（図示せず）が汚れないようにするために、装填ベイ１０７が閉じられるべき場合は、この目的のために、装填ベイの蓋１３２が装填ベイ１０７の開口部の上に押されてもよい。これにより、空きとなる領域１３４を、特定の方法で構築することが可能になる。例えば、装填ベイの蓋１３２を用いて装填ベイ１０７を閉じることにより、システムのマウス構成の場合に有利な、または、まれではあるが必要な使用のために主として隠されたままとなるべき、さらなるコネクタインタフェース、操作要素、および／または表示要素１３５を、領域１３４内で解放することが可能となる。
【００９２】
図２ｇ４ｄは、装填ベイの蓋１３２の発展形態を示し、この発展形態では、装填ベイの蓋１３２の前部側面端内に作成された、ケーブルスロットの形態の開口部が配置されており、これにより、装填ベイの開口部１０７にケーブルコネクタを結合することが、閉じられた状態でも可能となる。したがって、多数のコネクタインタフェースを装填ベイ内に配置することが、ユーザを視覚的に混乱させることなしに可能となる。その上、ケーブルスロットを有する装填ベイの蓋１３２は、マウスとして使用するための、モバイルデジタルコンピュータ１００への入力装置１１０の、図２ｇ１．３に示す緊急ケーブル結合機能のために有利であり、その理由は、マウスを使用するための十分な空間があるにもかかわらず、無線を介したデータ通信が許可されない状況、または、例えば、バッテリの早期低下により無線リンクが不可能となる状況が発生する可能性があるためである。さらなる実施形態では、そのような緊急ケーブル、例えばＵＳＢケーブルは、例えば装填ベイ１０７の隣の、その開口部を通して到達可能な、この目的のために構築されたスロット（図示せず）内に収容される。スロットは閉止蓋１３２（開けられた状態）の下に配置されてもよく、ここで、閉止蓋が閉じられた状態では、緊急ケーブル室（図示せず）が装填ベイ領域１０７内に引出しのように押されて、それにより、リーフ部１０３の下面または背面で装填ベイ開口部１０７を介してケーブルに到達することが可能となる。ケーブルが収容されるべき場合は、前面の装填ベイ蓋１３２が装填ベイ１０７の上に押され、ケーブルが背面から引出し（図示せず）内に挿入され、その後、引出しを閉じるために装填ベイ蓋１３２を押し戻すことによって、引出し（図示せず）が、領域１３４上の、その基本構成に押し戻されてもよい。
【００９３】
図３は、シングルリーフ「タブレットＰＣ」２００を使用した、本発明による第２の実施形態の概略的な表現を、さまざまな操作状態について示す。図３ａ１および図３ａ２は、一般的な適用状況におけるタブレットＰＣ  ２００を、それぞれ、前面からの（ユーザ２０６の観点からの）、および上からの、概略的な準斜視図で示し、圧力ペン２２０を使用して実行しているユーザは、タブレットＰＣ  ２００の前面に配置された、感圧式またはタッチセンシティブスクリーン２０２上で処理を操作している。図３ｂ１は、タブレットＰＣ  ２００の背面２０３を示し、ユーザ２０６は、圧力ペン２２０が使用されていない場合に安全に収容するために、圧力ペン２２０を圧力ペン収納室２２２内に押し込んでいる。タブレットＰＣの背面２０３には、出力装置２１０を挿入可能な凹部２５０も呈示されている。示されている例示的実施形態では、入力装置２１０は、最上部に、スライドパッド２１２，第１の操作キー２１３、第２の操作キー２１４、およびジョグダイヤル２１５を有する。その下面には、入力装置２１０は、ローラーボールとそれに対応するローラーボール動きセンサ（いずれも図示せず）、または光アンダーグラウンド走査装置（図示せず）を含み、これらはいずれも、マウスにも使用されている場合があるものである。さらに、入力装置２１０は、電源とバッテリ（図示せず）、および、その機能を生成することを可能にする、適切な電子回路（図示せず）を含む。図３ｂ２は、図３ｂ１に示す状況を、上から示したものである。
【００９４】
図３ｃ１は、ユーザ２０６が入力装置２１０を、単独で使用できるようにするために、タブレットＰＣ  ２００のハウジング内の凹部２５０から横に引き出す様を示している。本発明は、横への引き出しに限定されるものではなく、例えば、磁気的な保持機構、またはロック機構が提供されてもよく、それにより、入力装置２１０は凹部２５０から背面側に引き離されることが可能となっていてもよい。最も単純な場合、例えば、入力装置２１０は、ベルクロファスナー（図示せず）によって、凹部２５０内に裏返し可能なように取り付けられてもよい。図３ｃ２は、図３ｃ１に示す状況を、上から示したものである。
【００９５】
図３ｄ１は、ユーザ２０６が入力装置２１０を、テーブル上面でマウスとして単独で使用できるようにするために、タブレットＰＣ  ２００のハウジング内の凹部２５０から横に取り出した様を示している。図３ｄ２は、ユーザ２０６による、マウスとしての入力装置２１０の使用を示す。この特別な実施形態では、手掴み領域内の背面のアーチ型部分が示されており、このアーチ型部分により、タブレットＰＣが人間工学的に保持されることが可能になり、また、例えばサイズおよび／または削減の理由のために、手で掴んでいるアーチ型部分の中空の空間内に特定の電子部品が収容されることが可能となる。この結果として、背面操作手段としての役割を果たすことも可能な、アーチ型の領域内に待機させられたマウス（入力装置１１０）が、同様にアーチ型部分を有し、それにより、人間工学的に有利な取り扱いがマウス操作中に可能になる、という利点も得られる。その上、より大きな部品がマウス内に組み込まれることも可能となる。別の観点からは、人間工学的なアーチ型部分を有するマウスは、ハンドヘルド装置１００内で、掴みを安定させる手段として使用されることが可能である。
【００９６】
図４は、２リーフ式ノートブックデジタルコンピュータ１００を使用した、本発明によるポータブルデジタルコンピュータの、図１に示す第１の実施形態による本発明の、別の有利な発展形態の概略的な表現を、３つの異なる操作状態ａ、ｂ、およびｃについて示す。この発展形態では、入力装置１１０は、ノートブック１００のプロセッサ部１０３のベイ１０７内に、ヒンジユニット１０５と実質的に平行に配置された傾斜シャフト１３０を使用して、傾斜可能かつ回転可能なように配置される。好ましい機械的構成では、例えばバネによりあらかじめ張力が加えられたラッチ機構（図示せず）によって、プロセッサ部１０３から傾斜シャフト１３０がラッチ解除されることが可能であり、したがって、図１にすでに示したように、入力装置をベイ１０７から完全に取り外すことができる。傾斜シャフト１３０により、図２に例示した構成変更は、ユーザ１０６にとっての取り扱いに関して、単純化されることが可能である。図４ａは、スライド部１１２およびキーボードが、プロセッサ部１０３の、キーボード１０４と同じ側に配置された、第１の操作状態におけるノートブック１００を、断面図により模式的に示す。図４ｂでは、入力装置１１０が傾斜シャフト１３０の周りで傾斜させられた様が、ノートブック１００の断面図により模式的に示されている。図４ｃは、ユーザ１０６の、ノートブック１００を保持している手の１本以上の指を使用した背面操作のための、第２の操作状態を示し、この操作状態では、操作要素、特に、スライド部１１２およびキー１１３、１１４は、プロセッサ部１０３の、キーボード１０４が配置されているのとは反対の側（プロセッサ部１０３の下面１２０）に向けられている。すでに説明したように、さらなる実施形態では、傾斜シャフト１３０を介して回転可能な入力装置１１０を、例えばリーフ部１０３から入力装置１１０を引き出す（図示せず）ことによっても、機械的に分離可能にすることが規定されてもよく、傾斜シャフト１３０はガイドレール（図示せず）内で支持されている。さらに、入力装置１１０を取り外すために、腕時計バンドの固定具（図示せず）と同様に入力装置１１０内またはリーフ部１０３のハウジング内に引き入れられる傾斜シャフトを、複数の部品から弾性的に構築することも可能である（図示せず）。
【００９７】
図５は、２リーフ式ノートブックデジタルコンピュータ１００を使用した、本発明によるポータブルデジタルコンピュータの、図１に示す第１の実施形態による本発明の、別の有利なさらなる発展形態の概略的な表現を、３つの異なる操作状態ａ、ｂ、およびｃについて示す。図５は、入力装置１１０が引き出しのように収納可能および拡張可能であるように装備された機械的システムを、プロセッサ部１０３のベイ１０７内に有する配置を示している。図５ａは、入力装置１１０が押し込まれた、ノートブック１００の断面図を模式的に示す。入力装置１１０には、その下面１３０に、ローラーボール装置１３５が装備されている。入力装置１１０が挿入されている場合、ローラーボール装置１３５は、保護スライダ１３８によって、汚損に対して保護される。図５ｂは、入力装置１１０が部分的に引き出された、ノートブック１００の断面図を模式的に示す。保護スライダ１３８は、ローラーボール装置１３５の一部を解放している。図５ｃは、入力装置１１０が完全に引き出された、ノートブック１００の断面図を模式的に示す。入力装置は、この場合、例えばテーブル上面などの、水平面１４０上に、マウスのように置かれている。保護スライダ１３８は、ローラーボール装置１３５を完全に解放している。別の実施形態（図示せず）は、リーフ部またはプロセッサ部１０３の背面である、装填ベイの下面に、貫通がないように、つまり、リーフ部１０３の背面は閉じられた面であるように構成することを規定する。ここでも、キー、トラックボール、ディスプレイなどの対応する入力手段を可視にするため、および／または、入力装置１１０のさらなる構成において操作可能にするために、蓋部（図示せず）が、プッシュ装置を用いて押して取り付けられてもよい。摺動蓋（図示せず）の利点は、入力手段の汚損に対する、またはリーフ部１０３のキーボードから離れた側での機械的負荷に対する保護効果にあり、ここで、入力手段は、入力装置１１０において配置されるものであり、輸送の目的で、または使用中でない場合は、モバイルデジタルコンピュータの保護ハウジング内に収容されなければならない。もちろん、本実施形態の変形では、押して取り付けまたは取り外しできるように配置される、対応する保護蓋が装備されてもよい（図示せず）。
【００９８】
図６は、図５に示す第１の実施形態による本発明の、前面および背面操作の第１の態様の概略的な表現を示す。図５に示す実施形態の一発展形態では、例えば、図２に示すように再差し込みすることによって、または、図４に示すように傾斜させることによって、入力装置１１０は第２の向きにされてもよく、第２の向きにおいては、操作要素、特に、スライドパッド１１２およびキー１１３、１１４は、プロセッサ部１０３の、キーボード１０４が配置されているのとは反対の側（プロセッサ部１０３の下面１２０）に向けられる。図６ｂは、ヒンジユニット１０５が実質的に垂直方向に向けられて、本のようにノートブック１１０が保持されている場合に、この特性により、入力装置１１０が、ノートブック１１０を保持している手１０６の指を用いて背面で操作可能となっている様を示す。結果として、プロセッサ部１０３のキーボード側１２１にあるローラーボール装置１３５は、特定の処理操作をこの手段によって実行するための、図６ｃに示すような、ノートブック１００を保持しているユーザ１０６の手の１本以上の指によるトラックボール様の操作のために利用できるようになり、他方、プロセッサ部１０３の、キーボード１０４とは反対側の、背面１２０上のキー１１３、１１４は、図６ｂに示すような、ノートブック１００を保持しているユーザ１０６の手の１本以上の指による操作のために利用できるようになる。ディスプレイが、図６ｃに示すような、タッチセンシティブの、いわゆる「タッチスクリーンディスプレイ」として構築されている場合、入力装置１１０を操作していない、ユーザ１０６の他の手を、手掴み領域においてディスプレイに対してさらなる処理操作を実行するために使用することが可能である。この目的のために、例えば、画面を保持している手の手掴み領域内に、選択情報項目１０２ｂが、装置を保持している手の親指による選択および操作が可能なように挿入されてもよい。これにより、ページ移動および／またはページのスクロール、あるいは選択情報（メニュー）の挿入に加えて、多数の処理操作が可能となる。別の実施形態では、図９ｃで後に示すように、画面を装備したリーフ部１０１の背面上に、入力装置を配置するための可能性が作成されるようにも規定される。これにより、上述の処理操作、または入力センシティブスクリーン上での処理操作を、装置を保持している手の親指を用いて実行し、同じ手の、背面に配置された指で、例えば入力装置１１０のキー１１３および１１４などの入力手段を操作することも可能になる。入力装置１１０の操作要素または入力手段は側面端上に配置されてもよく、したがって、本特許文書で背面操作と記載されている場合でも、側面操作がさらに意味されてもよいということが明示的に指摘される。これは、図示されている、または単に述べられている、すべての例示的実施形態について言及している。その上、非常にさまざまな機能、構成、および数の、入力手段およびインタフェースが、入力装置１１０またはモバイルデジタルコンピュータ１００上に配置されてもよい。
【００９９】
図７は、図５に示す第１の実施形態による本発明の、前面および背面操作の第２の態様の概略的な表現を示し、この図では、図６と同様に、ヒンジユニット１０５が実質的に垂直方向に向けられて、本のようにノートブック１１０が保持されている場合に、入力装置１１０が、ノートブック１１０を保持している手１０６の指を用いて背面で操作可能となっている。操作要素、特に、スライドパッド１１２およびキー１１３、１１４が、プロセッサ部１０３の、キーボード１０４が配置されているのとは反対の側（プロセッサ部１０３の下面１２０）に向けられている図６と比較して、入力装置１１０は、この図では、プロセッサ部１０３のベイ１０７内に、異なる向きで挿入されている。この図でも、同様に、ヒンジユニット１０５が実質的に垂直方向に向けられて、本のようにノートブック１１０が保持されている場合に、入力装置１１０が、ノートブック１１０を保持している手１０６の指を用いて背面で操作されてもよい。結果として、プロセッサ部１０３の背面１２０上にあるローラーボール装置１３５は、ノートブック１００を保持しているユーザ１０６の手の１本以上の指によるトラックボール様の操作のために利用できるようになり、他方、プロセッサ部１０３の、キーボード１０４と一致する側１２１にあるキー１１３、１１４は、ノートブック１００を保持しているユーザ１０６の手の１本以上の指による操作のために利用できるようになる。ディスプレイが、タッチセンシティブの、いわゆる「タッチスクリーンディスプレイ」として構築されている場合、入力装置１１０を操作していないユーザ１０６の他の手を、手掴み領域においてディスプレイに対してさらなる処理操作を実行するために使用することが可能である。図６で説明した操作、特に、画面１０２上の情報項目１０２ｂに対する、入力が可能な操作のための手掴み操作が、この場合も同様に可能である。
【０１００】
図８は、２リーフ式ノートブックデジタルコンピュータ１１０を使用した、本発明によるさらなる実施形態の概略的な表現を、３つの異なる操作状態ａ、ｂ、およびｃについて示す。図８は、図１に示した配置に基本的に対応している。２リーフ式ノートブック１００は、蓋部１０２およびその中に挿入されたディスプレイ１０２と、プロセッサ部１０３およびその上に配置されたキーボード１０４とを備える。蓋部１０２およびプロセッサ部１０３は、ヒンジ装置１０５を用いて相互に機械的に結合されており、それにより、本のように開閉できるようになっている。プロセッサ部１０３はその内部に、中央処理ユニットと、作業用記憶装置および大容量記憶装置と、ノートブックのために通常使用されるその他の構成要素とを備えたメインボードなどの、詳細には図示していないシステム構成要素を含む。ノートブックにおいて一般に慣例となっているように、ディスプレイ１０２は、ヒンジユニット１０５を通して、プロセッサ部１０３内の電子部品に電気的に接続されている。
【０１０１】
プロセッサ部１０３のハウジングは、その領域内の、ヒンジユニット１０５とは反対側の、ユーザ１０６に向いた側に、例えば入力装置１１０を受け入れるためにプロセッサ部１０３のキーボード側の中のくぼみとしてセットアップされた、レセプタクル１５０を呈示する。図示されている例示的実施形態では、入力装置１１０は、その最上部に、スライドパッド１１２、ジョグダイヤル１１２ａ、および第１の操作キー１１３と第２の操作キー１１４を有する。入力装置１１０は、その下面には、ローラーボールとそれに対応するローラーボール動きセンサ（いずれも図示せず）、または光アンダーグラウンド走査装置（図示せず）を含み、これらはいずれも、マウスにも使用されている場合があるものである。さらに、入力装置１１０は、バッテリなどの電源（図示せず）、および、以下で説明する機能を生成することを可能にする、適切な電子回路（図示せず）を含む。
【０１０２】
図８ａに示すように、入力装置１１０がレセプタクル１５０内に挿入されている場合、入力装置１１０は、適切なラッチ装置（図示せず）によって、このレセプタクル１５０内にロックされていてもよい。ラッチ装置は、例えば、１つ以上のラッチ用ノーズ、または永久磁石のようなその他の構成要素などの、機械的なラッチ装置を備えていてもよい。図８ａに示す、この操作モードでは、ユーザ１０６は、スライドパッド１１２、ジョグダイヤル１１２ａ、および／またはキー１１３、１１４を操作するために、ノートブック１００に影響を及ぼしてもよい。
【０１０３】
プロセッサ部１０３および入力装置１１０は、いずれの中にも、（例えば、ブルートゥース（Ｂｌｕｅｔｏｏｔｈ）規格などによる）近距離無線リンクを介してデータを伝送するための装置、または、（例えば、ＩＲＤＡ規格による）赤外線リンクを介してデータを伝送するための装置などの、ワイヤレスデータ伝送のための適切な装置（図示せず）を呈示している。
【０１０４】
図８ａに示す操作モードにおいて、プロセッサ部１０３と入力装置１１０は、プロセッサ部１０３内に配置された構成要素へのユーザ１０６による操作プロセスの結果として発生する情報信号を供給するために、少なくとも１つの電気的プラグインコネクタ装置（図示せず）または他の適切な接点装置（図示せず）によって相互に電気的に結合されていてもよい。この操作モードでは、入力装置１１０の電源は、プラグインコネクタ装置を通して、または他の接点装置を通して、プロセッサ部１０３によって対処されてもよい。
【０１０５】
図８ｂに示すように、入力装置１１０がプロセッサ部１０３から取り外され、レセプタクル１５０から取り出された場合、ユーザ１０６は、図８ｃに示すように、入力装置１１０をマウスのように使用することができる。ローラーボールセンサまたは光走査装置によってそれぞれ生成された動き信号、ならびにキー１１３および／または１１４の操作を示す信号は、ワイヤレスデータ伝送のための装置（図示せず）を介してプロセッサ部１０３に伝送され、そこで従来のマウス信号と同様に評価される。
【０１０６】
入力装置１１０を使用した後は、ユーザは、輸送の目的のために、図８ａに示すように、プロセッサ部１０３のレセプタクル１５０内に入力装置１１０を再びロックする。ここでも、ハウジングの背面、つまりキーボードとは反対の側に、開口部（図示せず）を構築することも可能であり、この開口部は、別の実施形態で、視覚的な理由のため、および入力手段を保護するために、摺動蓋（図示せず）、フラップ、または結合可能な蓋によって閉じられてもよい。
【０１０７】
図９は、２リーフ式ノートブックデジタルコンピュータ１００を使用した、本発明によるポータブルデジタルコンピュータの、図８に示す第３の実施形態による本発明の、第１の有利な発展形態の概略的な表現を、３つの異なる操作状態ａ、ｂ、およびｃについて示す。この発展形態では、入力装置１１０は、プロセッサ部１０３または蓋部１０１の背面に、それぞれ、第２のレセプタクル１５１または第３のレセプタクル１５２を用いて取り付けられてもよい。
【０１０８】
図９ａは、スライドパッド１１２およびキーが、プロセッサ部１０３の、キーボード１０４と同じ側に配置されるように、入力装置１１０が第１のレセプタクル１５０内に挿入された、第１の操作状態におけるノートブック１００を、断面図により模式的に示す。図９ｂは、入力装置１１０が第１のレセプタクル１５０から取り出された様を、ノートブック１００の断面図により模式的に示す。図９ｃは、ノートブック１００を保持しているユーザ１０６の手の１本以上の指を使用した背面操作のための、第２の操作状態を示し、この操作状態では、操作要素、特に、スライドパッド１１２およびキー１１３、１１４は、プロセッサ部１０３の、キーボード１０４が置かれている側とは反対の側（プロセッサ部１０３の下面１２０）に向けられている。この配置では、入力装置は、プロセッサ部の背面１２０にある第２のレセプタクル１５１内に、または蓋部１０１の背面にある第３のレセプタクル１５２内に挿入されてもよい。
【０１０９】
図１０は、ユーザ識別および／またはユーザ認証のための電子装置を入力装置１１０が備えた、本発明によるソリューションの第１の発展形態を示す。図示されている例では、図８に示した方法で作成された第１のノートブック１００Ａ、および図１に示した方法で作成された第２のノートブック１００Ｂが示されている。２台のノートブック１００Ａ、１００Ｂに関しては、ユーザがしばらくの間不在となっているため、ノートブック１００Ａおよび１００Ｂのそれぞれのオペレーティングシステムは、許可されたユーザが再び認証されるまで、それぞれのキーボード１０４Ａおよび１０４Ｂを保留状態にしていると仮定されている。本発明のさらなる発展形態では、この認証は、入力装置１１０Ａ、１１０Ｂが、許可されたユーザを認証するための認証トークンとして使用されるような方法で発生してもよい。ユーザは、例えば軽食を取るために、しばらくの間ノートブックの前を離れたい場合に、比較的小さくてコンパクトな入力装置１１０Ａ，１００Ｂを単に携帯してもよい。ノートブック１００Ａ，１００Ｂは、それらのハードウェアおよびソフトウェアにより、それぞれの入力装置１１０Ａ、１１０Ｂが（例えば、無線または赤外線による）近距離ケーブルレスデータリンクの最大範囲１６０Ａ、１６０Ｂから取り除かれると、キーボード１０４Ａおよび１０４Ｂのそれぞれがただちに自動的に遮断されるような方法で構築されている。それぞれのノートブック１００Ａ、１００Ｂは、それに属するそれぞれの入力装置１１０Ａおよび１１０Ｂを確実に認証できるようになっていなければならない。これを実現可能にする技術的な手段は、専門家により知られている。例えば、「チャレンジ−レスポンス」方式が、入力装置１１０Ａ、１１０Ｂを認証するために使用されてもよい。より複雑な数学的手法を実装することも可能である。例えば、さまざまなユーザの複数の入力装置が、１台のモバイルデジタルコンピュータにより認識されてもよく、それにより、各ユーザにより携帯される入力装置によってさまざまなユーザが識別および認証されてもよい。入力モジュールまたはモジュールの識別の、他の可能性も可能であり、唯一の決定的な要因は、モバイルデジタルコンピュータ１００が、分離された１つまたは複数の入力装置１１０（図示せず）またはこの目的のために設定されたモジュール（図示せず）のそれぞれを認識し、所定の規則に従って応答するということであるということを、念のために指摘しておく。この規則は、次を含んでいてもよい。可能な機能、文書、および／またはアプリケーションの少なくとも一部の領域の利用を認証する特定のプロセスを登録する、利用の可能性を禁止する（遮断する）、事前設定されたユーザプロファイルに従ってユーザインタフェースをセットアップする、悪用の試みに関して、例えば、ＳＭＳ、電子メール、ポケットベルなどの呼び出し、または大きな信号音による単なる警告のみを介して、許可された人にただちに通知する。特に重要な機密保護に関連する情報項目の場合は、関連するデータまたは秘密の削除、および、ことによると、メモリ構成要素（図示せず）あるいは他のソフトウェアおよび／またはハードウェア部品（図示せず）の破壊さえも、必要に応じて考慮に入れられてもよい。対象となるこれらのユーザのグループには、軍、研究所、シークレットサービスが含まれ、さらに、経済スパイ活動、企業スパイ活動、または国家スパイ活動さえも防止する必要がある企業経営者も含まれる。日常的な使用においても、特にプライベートな領域においては、ノートブックの前を短時間離れた後で、許可されていない人が、記憶された、または表示されたデータにアクセスすることは、望ましくないか、または不愉快かつ当惑するものでさえある可能性がある。
【０１１０】
この文脈での、重要なその他の可能な実施形態は、以下のとおりである。
１．入力装置内に、機密情報または秘密を記憶できるデータメモリが有利には配置される。この利点は、ユーザが、許可されていない人のアクセスに対して、上述のソリューションによって自分のデジタルコンピュータだけを保護するのではなく、それと同時に、比較的平らなマウスを携帯することにより、データを所持し続けるということである。他のコンピュータ（図示せず）が現在動作中で、それらのコンピュータにはワイヤレス通信および／または識別のための同じシステムが装備されていないか、または必要なコンピュータ上にユーザが登録されていない場合でも、前に例として説明したＵＳＢソリューションを介して、データメモリ（図示せず）の単純な接続を行うことが可能である。この目的のために、外部装置（図示せず）のＵＳＢポートに入力装置１１０を直接挿入することが可能であってもよく、または、入力装置１１０が外部コンピュータ（図示せず）の対応するＵＳＢポートに、例えばＵＳＢケーブルを使用して接続されてもよい。もちろん、セットアップされている可能性がある機密保護領域（図示せず）を、前述のケーブルを介した単純なケーブル接続の場合に読み出すことは、カーソルを制御するための入力装置１１０のユーザまたは所有者によって希望されない場合は、不可能であってもよい。ＵＳＢと同様の、他の構成も可能である。
２．入力手段（図示せず）を適切に設計することにより、およびモバイルデジタルコンピュータ１００を適切に設計することにより、入力装置１１０は、さらに、２リーフ式モバイルコンピュータが、ハードウェアおよびソフトウェアの両方に関して閉じられたままにするためのロック用ユニット（図示せず）としても使用されてもよい。ロック機構（図示せず）は、有利には、ここではカーソル制御用の入力装置１１０内に含まれる。その理由は、このロック機構は、特別な形態となるので、連続生産されるモバイルデジタルコンピュータのコストを増加させるためである。前の図ですでに説明したように、入力装置は、したがって、相応する数の潜在的ユーザにより必要とされる場合は、ロック機構付きで後日販売されてもよい。上述の図２ｇ１．１および図２ｇ２の構成が、有利には、この目的のために使用されてもよく、その理由は、結合された入力装置のラッチ用穴に入る、モバイルデジタルコンピュータの折りたたみ可能なリーフ部のラッチ用ノーズは、蓋と入力装置をロックするために使用できるためである。図２ｇ２のラッチ用ノーズは、従来技術からの適切な機構により、比較的単純に入力装置のハウジング内にロックされることが可能である。ロックは、モバイルデジタルコンピュータを閉じる間に自動的に生成されてもよく、あるいは、デジタルコンピュータ内への対応する入力の後、または、入力装置内への入力の後にも生成されてもよい。逆に、ロック機構は、対応する入力によって開放されてもよい。デジタルコンピュータ１００の装填ベイ開口部（図２ｇ１．１および図２ｇ２）は、有利には、２リーフ式デジタルコンピュータの閉じられた状態においてさえも、入力装置１１０への入力を、対応する入力機能がこの入力装置にもまた装備されている場合に行うために使用されてもよい。この入力機能は、例えば、セキュリティコードまたはＰＩＮ番号、あるいはパスワードをそれぞれ入力するためのキー（図示せず）、および／または、スクリーンペンを用いて入力するための入力ディスプレイ（図示せず）などの入力手段を少なくとも含み、この入力手段は、図５に示すトラックボール１３５に従って、入力装置の背面上に配置される。
３．上述のすべてのソリューションについては、次があてはまる。対応するセキュリティシステムがインストールされてアクティブにされた場合、デジタルモバイル装置における他のデータインタフェースの有効な接続または利用は、遮断モード（図示せず）がアクティブにされた後は、不可能となるか、または制限された方法でのみ（図示せず）となる。
【０１１１】
図１１は、図１０で例示した本発明によるソリューションの、別のさらなる発展形態を示し、この発展形態では、入力装置１１０Ａ、１１０Ｂは、例えばユーザ識別および／またはユーザ認証のための電子装置などの、追加機能モジュールを少なくとも１つ装備している。さらに、例えば、ジョイスティック（図示せず）を有する特殊モジュールＢ、異なる設計のスライドパッドおよびキー（例えば、リナックス（Ｌｉｎｕｘ）ユーザ向けの３キースライドパッド）を有する特殊モジュールＣ、またはトラックボールモジュールＤなどの、他のモジュールが装備されていてもよい。同様に、チップカード収納モジュールＰが装備されていてもよい。例えば、記憶モジュール用、ネットワーク接続用、およびその他のシステム拡張モジュール用のアダプタカードなど、従来技術によるその他のモジュールも可能である。特に、衛星信号（情報）の受信および／または送信のための、マウス機能を有する、または有さないモジュールを使用することも可能である。その他の電気通信モジュール（ＧＳＭ、モデム、ＧＲＰＳ、ＩＳＤＮ、ＵＭＴＳなど）または位置特定モジュール（ＧＰＳ、ガリレオ（Ｇａｌｉｌｅｏ））が使用されることも可能である。その上、携帯無線電話機、ＰＤＡ、リモートコントロール、およびその他のモバイル装置、ならびに、ＵＳＢまたはファイアーワイヤー（ｆｉｒｅｗｉｒｅ）インタフェースモジュールも、使用されること、または結合されることが可能である。例えば、結合される表示モジュールを介して、ペンおよび／またはキー入力１１０ｃを使用して、例えば電話番号簿または工場登録簿などの中の選択機能を制御することが可能であり、これは、結合されたモバイルデジタル装置１００またはそれに類するものが、対応する処理を実行し、および／または、ディスプレイ上に表示するような方法で行われる。もちろん、非常にさまざまな可能な実施形態が考えられ、したがって、列挙されたモジュールのそれぞれは、カーソル制御入力手段を有する、または有さない、あるいはその他の機能を有する、追加の方法で構築されてもよい。したがって、記載したモジュール（図示せず）の特定の機能および機能性が、入力装置１１０内に、追加の方法で構築および配置されてもよい。
【０１１２】
図１２は、取り外し可能なキーボードをポータブルデジタルコンピュータが備えた、本発明によるソリューションの別の発展形態を示す。図１２ａで、図１に示したタイプに従って一般に作成されたノートブック１００は、キーボード１０４が取り外し可能なように挿入される、キーボードレセプタクル１６０を有する。キーボード１０４は、プロセッサ部１０３に、ケーブルレスデータ伝送リンク（図示せず）を介して接続され、それにより、キーボード打鍵信号がプロセッサ部１０３に伝送されることが可能になる。図１２ｂは、機械的に分離されたキーボード１０４および機械的に分離された入力装置１１０を使用した、図１２ａに示すノートブックの作業を模式的に示す。また、モバイルデジタル装置１００からキーボード１０４および入力装置１１０を機械的に分離した後で、ケーブルを使用してこれらを接続し、それにより、必要に応じて、キーボード１０４内または出力装置１１０内で共通電源を使用すること、そしてさらに、必要に応じて、ケーブルレスデータ通信を組み合わせることも可能である。例えばバッテリの低下によって、必要となった場合、キーボードおよび／または入力装置は、好ましくはＵＳＢまたはファイアーワイヤー（ｆｉｒｅｗｉｒｅ）ケーブルを介して、モバイルデジタルコンピュータに接続されてもよい。このために必要なインタフェースは、先の図において、特に図２ｇ１．１および図２ｇ１．２において記載されている。キーボード１０４における、入力装置１１０および／またはモバイルデジタルコンピュータに接続するためのインタフェースは、図示されていないが、特にＵＳＢまたはファイアーワイヤー（ｆｉｒｅｗｉｒｅ）設計の場合、さらなる議論は必要なく、その理由は、そのようなキーボードはパーソナルコンピュータに関する従来技術により既知であるためである。
【０１１３】
図１３は、図１２に示す実施形態のさまざまな操作状態の概略的な斜視表現を示し、特に、入力装置およびキーボードが機械的に分離された図１２ａに示す状態から、図１２ｂに示す最終的な操作状態への移行を例示する。ノートブック１００を、図１３ｂに示すように、ヒンジ装置を中心として明確に１８０°を超える角度に開くことにより、ノートブックは、図１２ｂおよび図１３ｃの両方に示す状態に配置されてもよく、この状態では、プロセッサ部１０３のキーボード側は、例えばテーブル上面などの、水平な基盤上に置かれ、ヒンジユニット１０５はテーブル上面と平行にテーブル上面に置かれ、さらに、ディスプレイ１０２を有する蓋部は、垂直またはプロセッサ部１０３の背面側１２０にわずかに傾いて、まっすぐに立ち、それによりユーザは、ディスプレイ１０２上に示された内容を快適に認識することが可能となっている。
【０１１４】
図１４は、図１２に示す実施形態の発展形態のさまざまな操作状態を、概略的な斜視表現で示す。この文脈では、図１４ａ１に示す操作状態は、図１２ｂに例示した状況に対応しており、図１４ａ２は図１３ｃに対応している。さらなる発展形態は、次に、ユーザの視点からは図１４ｂ１のように見られ、側面からは図１４ｂ２のように見られるように、ノートブック１００が、ヒンジユニット１０５が実質的に垂直に設定されていても、テーブル上面などの水平な面上に立つことができるような方法でセットアップされることに存する。別の発展形態は、ノートブックが、表示ユニット１０２上に表示される内容の表現を、図１４ａ１に示す操作モードまたは図１４ｂ１に示す操作モードのいずれが優勢であるかに自動的に適合させることに存する。この目的のために、プロセッサユニット１０３は、１つ以上の重力スイッチを装備していてもよい。
【０１１５】
図１５は、ディスプレイ部１０１、キーボード部１０３を有し、本発明による入力装置１１０を内部に挿入可能な多機能結合ベイ１０７も有する、２リーフ式ノートブックデジタルコンピュータ１００のための、本発明によるソリューションの別の実施形態の、斜視図または上面図をそれぞれ示す。この配置では、図１５ａは、入力装置１１０が取り外されたノートブックデジタルコンピュータ１００の斜視図を表し、図１５ｂは、キーボード部１０３および入力装置の概略的な上面図を示す。本実施形態に固有の特徴は、例えば結合ベイ１０７の側壁１０７ａ、１０７ｂなど、結合ベイ１０７の少なくとも１つの壁面内に、少なくとも１つのさらなる電気的インタフェース１５０１ａ、１５０１ｂ、１５０１ｃ、１５０１ｄが装備されることに存する。少なくとも１つの電気的インタフェース１５０１ａ、１５０１ｂ、１５０１ｃ、１５０１ｄは、特に、それぞれが１つのプラグを備えた１本以上のケーブルを接続するための、電気的プラグインコネクタ配置として構築されていてもよい。ケーブルは、例えば、スキャナ、プリンタ、またはそれに類するものなどの周辺装置に至るものであってもよい。
【０１１６】
図１６は、改良された電気的プラグコネクタインタフェースを有する、本発明による入力装置１１０の、本発明によるソリューションの発展形態の概略的な断面図を示す。本発明による入力装置１１０が、突出した電気的プラグコネクタ装置１６０１を有するように構築されている場合、電気的プラグコネクタ装置の構成のタイプによっては、入力装置のハウジング１６０５からプラグコネクタ装置１６０１が機械的に突出するという問題がある。この特別な問題を解決するために、適切に成形され弾性的に取り付けられた保護シールド１６１０を有する入力装置を提供することが提案され、この保護シールド１６１０は、入力装置１１０が結合ベイ１０７の外部に配置されている場合は、電気的プラグコネクタ装置１６０１を機械的に覆い、入力装置１１０が結合ベイ１０７の中に挿入された場合は、機械的に、弾性的に後退し、それと同時に、電気的プラグコネクタ装置１６０１が機械的に外側に突き出ることを可能にする。図１６ａは、結合ベイ１０７内への入力装置１１０の挿入の第１フェーズにおける、対応して開発された入力装置１１０を示す。このフェーズでは、保護シールド１６１０は、まだ完全に伸張されており、突出したプラグコネクタ装置１６０１を完全に覆っている。図１６ｂは、結合ベイ１０７内への入力装置１１０の挿入の第２フェーズを示す。このフェーズでは、保護シールド１６１０は、結合ベイ１０７の端の側壁１６１５に接触して、ハウジング１６０６内に、ある程度の距離だけ押し戻されている。図１６ｃは、結合ベイ１０７内への入力装置１１０の挿入の、挿入プロセスを終結する第３のフェーズを示し、このフェーズでは、保護シールド１６１０は、結合ベイ１０７の端の側壁１６１５の反対圧力によって、実質的に完全にハウジング１６０５内に押し入れられている。
【０１１７】
図１７は、２リーフ式ノートブックデジタルコンピュータ１００および二部品入力装置１１０を使用した、本発明によるソリューションのさらなる実施形態の上面図を示す。図１７ａは、結合ベイ１０７内に挿入された、本発明により発展させられた二部品入力装置１１０を示し、図１７ｂは、図１７ａに示す状況で、二部品入力装置１１０がノートブックデジタルコンピュータ１００の結合ベイ１０７から取り出された場合を示す。二部品入力装置１１０は、原則として底部に配置される第１の部品１１０ａ、およびこの第１の部品１１０ａ上に配置または挿入されてもよい第２の部品１１０ｂを含む。特に、第１の部品は、充電ケースのように装備されていてもよく、さらに、第２の部品１１０ｂが第１の部品１１０ａの上に置かれるか、または第１の部品１１０ａによってケースのように収容されることさえも可能なような方法で機械的に装備されていてもよい。代替として、第１の部品１１０ａの最上部は、第２の部品１１０ｂ内の対応する内向きのアーチ型部分と接触させられる、外向きのアーチ型部分（図示せず）を備えていてもよい。この最後に述べた変形では、第２の部品１１０ｂの構造的高さを、実質的に、ノートブック１００のキーボード部１０３の高さと同じ高さであるように選択することが可能であり、それにより、特に構造的高さが小さい薄型ノートブックの場合に、第２の部品１１０ｂの、ユーザにとっての取り扱いを大幅に改良することができる。第２の部品１１０ｂは、特に、マウス、スライドパッド、またはそれに類するものとして機能的に構築されていてもよい。好ましい実施形態では、２つの部品１１０ａ、１１０ｂは電気的接点（図１７では図示せず）を備え、それを用いて２つの部品１１０ａ、１１０ｂは、第２の部品１１０ｂが第１の部品１１０ａの上に置かれている場合に、電源に関して、および／または電気信号に関して、結合させられてもよい。例えば、第１の部品１１０ａは、電源を供給する充電ケースとして構築されていてもよい。図１７ｂは、入力装置１１０に電源を提供するために、第１の部品１１０ａがノートブック１００のキーボード部１０３にケーブル１７０１を用いて接続された、そのような変形を示す。電気的接点（図１７では図示せず）の代わりに、２つの部品１１０ａ、１１０ｂは、それぞれが誘導コイルを有していてもよい（第２の部品１１０ｂが第１の部品１１０ａの上に置かれている場合は、その誘導コイルを介して、電気的エネルギーおよび／またはデータ信号が伝送される）。図１７ｃは、図１７ｂに示す状況で、第２の部品１１０ｂが、例えばスライドパッドまたはマウスとしてユーザ（図示せず）によって使用されるようにするために、第１の部品１１０ａから取り外された場合を示す。最後に述べた場合では、特に、位置データが、第２の部品１１０ｂから、例えば無線または赤外線伝送によって、ワイヤレスでノートブック１００に直接伝送されるか、あるいは、最初に第２の部品１１０ｂから第１の部品１１０ａにワイヤレスで伝送され、そこから、ケーブル１７０１を介してノートブック１００にデータが伝送されてもよい。
【０１１８】
好ましい実施形態では、入力装置１１０は、その２つの部品１１０ａ、１１０ｂが、ノートブックハウジング１０３内に挿入された状態と、取り外された状態（図１７ｃ）の両方において、ユーザ（図示せず）によって使用されてもよい。
【０１１９】
図１８は、図１７に示す二部品入力装置１１０の断面図を示す。図１８ａでは、入力装置１１０の第２の部品１１０ｂが、入力装置１１０の第１の部品１１０ａの上に置かれている。第１の部品１１０ａおよび第２の部品１１０ｂは、電気的接点ペア１８０１、１８０２によって相互に電気的に接続されている。異なる実施形態では、別の数の接点ペアも提供されてもよい。図１８ｂは、図１８ａに示す状況で、第２の部品１１０ｂが第１の部品１１０ａから取り外された場合を再現している。ローラーボールまたは光ユニット１８０５により、水平面（図示せず）に対する第２の部品１１０ｂの位置の相対的な変化が検出されることが可能となる。
【０１２０】
図１９は、図１７に示す二部品入力装置１１０の発展形態を使用した、本発明によるノートブックデジタルコンピュータ１００の、上面図および概略的な断面図をそれぞれ示す。図１９ａは、入力装置１１０が結合ベイ１０７内に挿入された、ノートブック１００のキーボードリーフ１０３の概略的な上面図を示し、この図では、入力装置１１０は、結合ベイ１０７内に部分的に挿入されている。図１９ｂは、図１９ａに対応する断面図を示す。図示されている発展形態では、二部品入力装置１１０は、第１の部品１１０ａおよび第２の部品１１０ｂが組み合わされるように装備されており、組み合わされた結果としての入力装置１１０全体の外形は、凸状の外向きアーチ型の外部側壁１９０１ａ、１９０１ｂを呈示する。結合ベイ１０７の対応する側壁１９１０ａ、１９１０ｂは、対応する凹状の内向きアーチ型を呈示する。その結果として、入力装置１１０は、結合ベイ１０７内への挿入および結合ベイ１０７からの取り外しの間、機械的に確実に導かれるようになり、入力装置の脱落を防止するために結合ベイ１０７が上部および／または下部に壁を有する必要はなくなる。その結果として、特に、ノートブック１００のキーボード部１０３の全体的な高さを、入力装置１１０の構造的高さと同じに選択することが可能となる。もちろん、この特徴は、一部品入力装置１１０にも適用されてもよい。さらに、図１９に示す入力装置の外向きアーチ型の代わりに、そしてまた人間工学的に有利なように、入力装置１１０の側壁１９０１ａ、１９０１ｂおよび結合ベイの側壁１９１０ａ、１９１０ｂのそれぞれにおいて、異なるタイプの凹／凸の組み合わせが使用されてもよい。図示されている入力装置の外向きアーチ型は、ユーザ（図示せず）の手を用いた有利な把持を提供する。
【０１２１】
図２０は、図１９に示す本発明によるノートブックデジタルコンピュータ１００で、入力装置１１０が挿入された場合（図２０ａ）、および引き出された場合（図２０ｂ）をそれぞれ示す。図２０ｂでは、結合ベイ１０７の端壁に、電気的インタフェース２０１０を見ることができる。
【０１２２】
図２１は、入力装置１１０の第１の部品（下部）がケーブル２１０１を通してノートブックデジタルコンピュータ１００の結合ベイ１０７の端壁に結合され、入力装置１１０は結合ベイ１０７から取り外され、第２の部品（上部）１１０ｂも第１の部品１１０ａから取り外された、図１９に示す本発明によるノートブックデジタルコンピュータ１００の発展形態を示す。
【０１２３】
図２２は、裏返されることが可能な入力装置１１０を使用した、図１９に示す本発明によるノートブックデジタルコンピュータ１００の発展形態を示す。図２２ａは、図２０ａの表現に機能的に対応している。図２０ｂと比較すると、図２２ｂでは、結合ベイ１０７の端壁上に対称的に配置された２つの電気的インタフェース２２０１ａ、２２０１ｂを、入力装置１１０が取り外された状態で見ることができる。図２２ｃに示すように、これにより、入力装置は、裏返された位置でもユーザ（図示せず）によって操作されることが可能となり、それにより、例えば、ノートブックデジタルコンピュータがデジタルブック装置のように取り扱われることが可能となる。この配置では、例えば、スライドパッドまたはローラーボール、および、場合によってはさらにキーも、ノートブック１００のハウジングの、ユーザとは反対の側で操作されてもよい。
【０１２４】
図２３および図２４は、２つの部品１１０ａ、１１０ｂから組み立てられ、第１の部品１１０ａと第２の部品１１０ｂが、球形のヒンジ装置２３０１によって、回転可能なように相互に接続された、本発明による入力装置１００の発展形態を示す。図２３は閉じられた状態の入力装置１１０を示し、図２４は開かれた状態の入力装置１１０を示す。図２３の右側には、球形のヒンジ２３０１により可能となる機械的構成の概略的な表現を示す。
【０１２５】
図２５は、２つの部品から組み立てられ、第１の部品１１０ａと第２の部品１１０ｂはヒンジによって相互に接続されず、一方が他方の上にゆるやかに配置されるのみである、本発明による入力装置１１０の別の発展形態を示す。複数部品による他の変形も提供されてもよい。図２５の右側には、結果として実現可能な機械的構成（第１の部品１１０ａ／第２の部品１１０ｂの向き）を概略的に示す。
【０１２６】
図２６は、ノートブック１００のキーボード部１０３内への入力装置１１０の組み込みの、さまざまな変形の概要を模式的に示す。図２６ａは、カバープレート２６０１ａおよび２６０１ｂのそれぞれによって上部と下部の両方が井戸のように封鎖された結合ベイ１０７内に、入力装置１１０が挿入された構成を示す。入力装置１１０は、ノートブック１００のキーボード部１０３の結合ベイ１０７内に、凹／凸の保持具２６０５ａ、２６０５ｂによって保持されている。上部カバープレート２６０１ａは、入力装置１１０の最上部にある操作要素を覆っているため、それらの操作要素は使用できない。したがって、カバープレート２６０１ａの最上部に、さらなる操作要素の組を提供する必要がある。ただし、入力装置１１０のための有効な構造的高さは、カバープレート２６０１ａ、２６０１ｂの厚さ、および追加の電子部品により必要とされる空間によって、大幅に減少する。図２６ａに示す配置の修正は、井戸１０７を横方向にずらして（図示せず）、第２の組の操作要素が入力装置１１０の最大の構造的高さを減少させることがないようにすることに存する。ただし、この場合でも、２組の操作要素は必要となる。
【０１２７】
図２６ｂでは、上部カバープレート２６０１ａを取り除くことにより、井戸は上に向けて開かれている。これにより、入力装置１１０の最大の構造的高さは拡張され、また、第２の組の操作要素は必要なくなる。入力装置１１０は、ノートブック１００のキーボード部１０３の結合ベイ１０７内に、凹／凸の保持具２６０５ａ、２６０５ｂによって保持されている。
【０１２８】
図２６ｃでは、下部カバープレート２６０１ｂも取り除かれており、その結果として、入力装置１１０の最大の構造的高さはさらに拡張されている。入力装置１１０は、ノートブック１００のキーボード部１０３の結合ベイ１０７内に、凹／凸の保持具２６０５ａ、２６０５ｂによって保持されている。
【０１２９】
図２６ｄでは、凹／凸の保持具２６０５ａ、２６０５ｂが、人間工学的により有利な、外向きのアーチ型部分／内向きのアーチ型部分２６１０ａ、２６１０ｂによって置き換えられている。
【０１３０】
図２６ｅでは、入力装置１１０の第１の部品は、図２６ａ〜２６ｄのような、入力装置１１０の第２の部品を収容するケース様の構成としては構成されていない。その代わりに、入力装置１１０の第１の部品１１０ａは、結合ベイ１０７の前端から、ユーザ（図示せず）に向けて前方へ垂直に延びる伸張部分として構築され、その上に、第２の部品１１０ｂが、左右側面から覆うように配置されている。
【０１３１】
図２６ｆには、図２６ｅに示した配置の修正が示されており、入力装置１１０の第１の部品１１０ａは、上に向かう凸状の外向きアーチ型となっている。
【０１３２】
図２６ｇには、図２６ｆに示した配置の修正が示されており、入力装置１１０の第１の部品１１０ａは、上に向かう凸状の外向きアーチ型となっているが、ユーザ（図示せず）に面した前部において平坦になるように延長されており、それにより、入力装置１１０が結合ベイ１０７内に押し込まれた場合、ユーザには実質的に入力装置の第２の部品１１０ｂのみが見えるようになっている。
【０１３３】
図２６ｈは、図２６ｇの入力装置１１０の、図２６ｇの断面に垂直に貫通する概略的な断面図を示す。入力装置１１０の第１の部品の、平坦になるように延長されている側２６１５を見ることができる。
【０１３４】
図２７は、入力装置１１０のハウジングの形状、およびノートブック１００のキーボード部１０３内への入力装置１１０の組み込みの、実施形態のさらなる変形の概要を模式的に示す。図２７ａは、図２６ｇに対応している。図２７ｂは、図２６ｈに対応している。図２６ｃは、矢印の方向に実質的に水平に押す動きによって、入力装置１１０の第２の部品１１０ｂを、第１の部品１１０ａから取り外すプロセスを概略的に例示している。元に戻すプロセスは、矢印とは反対の方向で同様に行われる。入力装置の２つの部品１１０ａ、１１０ｂの特別なアーチ型により、人間工学的に有利な、ユーザ（図示せず）による両方の部品１１０ａ、１１０ｂの相互の確実な位置調整が可能となる。図２７ｄは、図２７ｃに従って結合ベイ１０７内に入力装置１１０を押し入れるプロセスを、模式的に上から示す。図２７ｅは、第２の部品１１０ｂの外形が、左および右のそれぞれのグリップくぼみ２７０１ａ、２７０１ｂによって人間工学的に有利に改良された、さらなる変形を示す。入力装置１１０を、ノートブック１００のキーボードリーフ１０３内に、押し込まれた状態で確実に固定するために、例えばバネ（図示せず）によって、機械的にあらかじめ張力が加えられた、２つのグリップフィンガー２７０５ａ、２７０５ｂが有利には提供されてもよい。図２７ｆは、図２７ｇに示す配置で、入力装置１１０が引き出される場合を示す。図２７ｇは、図２７ｅおよび図２７ｆに示す、押し入れるプロセス／引き出すプロセスを、模式的に上から示す。
【０１３５】
図２７ｈは、図２７ａに示す配置で入力装置１１０が回転させられた場合を示し、これは、図２２および関連する記載に類似している。図２７ｉは、図２７ｈに属する、ノートブック１００のキーボードリーフ１０３の下面の、上面図を示す。
【０１３６】
上述のすべてのソリューションおよび態様は、相互に組み合わされることが可能であり、また、図示または記載されたすべての例示的実施形態に明示的に関連し、各ソリューションは、個別に、または他のソリューションと組み合わせて、本特許明細書に記載されたすべての装置および／または設備に適用可能である。
【図面の簡単な説明】
【０１３７】
【図１】２リーフ式ノートブックデジタルコンピュータを使用した、本発明による第１の実施形態の概略的な表現を、３つの異なる操作状態について示す。
【図２】図１に示す第１の実施形態によるモバイルデジタルコンピュータを使用した、本発明による入力装置の、さまざまな可能な使用、および特に好ましい実施形態も、模式的に示す。
【図３】シングルリーフ「タブレットＰＣ」を使用した、本発明による第２の実施形態の概略的な表現を、さまざまな操作状態について示す。
【図４】図１に示す第１の実施形態による本発明の、第１の有利な発展形態の概略的な表現を示す。
【図５】図１に示す第１の実施形態による本発明の、第２の有利な発展形態の概略的な表現を示す。
【図６】図１に示す第１の実施形態による本発明の、前面および背面操作の第１の態様の概略的な表現を示す。
【図７】図１に示す第１の実施形態による本発明の、前面および背面操作の第２の態様の概略的な表現を示す。
【図８】２リーフ式ノートブックデジタルコンピュータを使用した、本発明による第３の実施形態の概略的な表現を、３つの異なる操作状態について示す。
【図９】図８に示す第３の実施形態による本発明の、第１の有利な発展形態の概略的な表現を示す。
【図１０】ユーザ識別および／またはユーザ認証のための電子装置を入力装置が備えた、本発明によるソリューションの第１の発展形態を示す。
【図１１】ユーザ識別および／またはユーザ認証のための電子装置を入力装置が備えた、本発明によるソリューションの第２の発展形態を示す。
【図１２】取り外し可能なキーボードをポータブルデジタルコンピュータが備えた、本発明によるソリューションの第３の発展形態を示す。
【図１３】図１２に示す実施形態のさまざまな操作状態を、概略的な斜視表現で示す。
【図１４】図１２に示す実施形態の発展形態のさまざまな操作状態を、概略的な斜視表現で示す。
【図１５】多機能結合ベイを使用した、本発明によるソリューションのさらなる実施形態の、斜視図および上面図をそれぞれ示す。
【図１６】改良された電気的プラグインコネクタインタフェースを使用した、本発明によるソリューションの発展形態の概略的な断面図を示す。
【図１７】二部品入力装置を使用した、本発明によるソリューションのさらなる実施形態の上面図を示す。
【図１８】図１７に示す二部品入力装置の断面図を示す。
【図１９】図１７に示す二部品入力装置の発展形態を使用した、本発明によるノートブックデジタルコンピュータの、上面図および概略的な断面図をそれぞれ示す。
【図２０】図１９に示す本発明によるノートブックデジタルコンピュータを、入力装置が挿入された場合、および取り外された場合についてそれぞれ示す。
【図２１】入力装置の底部がケーブルを用いてノートブックデジタルコンピュータに結合された、図１９に示す本発明によるノートブックデジタルコンピュータの発展形態を示す。
【図２２】裏返すことが可能な入力装置を使用した、図１９に示す本発明によるノートブックデジタルコンピュータの発展形態を示す。
【図２３】２つの部品から組み立てられた、本発明による入力装置の発展形態を示す。
【図２４】２つの部品から組み立てられた、本発明による入力装置の別の発展形態を示す。
【図２５】２つの部品から組み立てられた、本発明による入力装置の別の発展形態を示す。
【図２６】ノートブックのキーボード部内への入力装置の組み込みの、さまざまな変形の概要を模式的に示す。
【図２７】入力装置のハウジングの形状、およびノートブックのキーボード部内への入力装置の組み込みの、実施形態の他の変形の概要を模式的に示す。
【図１】
2007527045.tif 000003
【図２】
2007527045.tif 000004
【図２】
2007527045.tif 000005
【図２】
2007527045.tif 000006
2007527045.tif 000007
2007527045.tif 000008
2007527045.tif 000009
2007527045.tif 000010
2007527045.tif 000011
【図３】
2007527045.tif 000012
【図４】
2007527045.tif 000013
【図５】
2007527045.tif 000014
【図６】
2007527045.tif 000015
【図７】
2007527045.tif 000016
【図８】
2007527045.tif 000017
【図９】
2007527045.tif 000018
【図１０】
2007527045.tif 000019
【図１１】
2007527045.tif 000020
【図１２】
2007527045.tif 000021
【図１３】
2007527045.tif 000022
【図１４】
2007527045.tif 000023
【図１５】
2007527045.tif 000024
【図１６】
2007527045.tif 000025
【図１７】
2007527045.tif 000026
【図１７】
2007527045.tif 000027
【図１８】
2007527045.tif 000028
【図１９】
2007527045.tif 000029
【図２０】
2007527045.tif 000030
【図２１】
2007527045.tif 000031
【図２２】
2007527045.tif 000032
【図２３】
2007527045.tif 000033
【図２４】
2007527045.tif 000034
【図２５】
2007527045.tif 000035
【図２６】
2007527045.tif 000036
【図２７】
2007527045.tif 000037
【図２８】
2007527045.tif 000038
【図２９】
2007527045.tif 000039
【図３１】
2007527045.tif 000040
【図３０】
2007527045.tif 000041
【図３２】
2007527045.tif 000042
【図３３】
2007527045.tif 000043
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
情報を表示するための少なくとも１つのディスプレイ（１０２、２０２）を有するデジタルコンピュータ（１００、２００）であって、
ａ）ユーザ（１０６、２０６）が前記ディスプレイ（１０１、２０２）を見ている場合にユーザ（１０６、２０６）に面する、少なくとも１つの前面表面（１２１）を、対応する側端面、および前記前面表面（１２１）の反対側の背面表面（１２０、２０３）とともに有するハウジング（１０１、１０３）と、
ｂ）前記背面表面（１２０、２０３）上、および／または、前記側端面のうちの１つの上に、情報を入力および／または操作するための入力手段を有する、入力装置（１１０、２１０）とを呈示し、
ｃ）前記入力装置（１１０、２１０）は、前記ハウジング（１０１、１０３）を基準にして動かされることが可能な入力モジュールの形態で、前記ハウジング（１０１、１０３）内に組み込まれており、そして、少なくとも１つのインタフェース（１９２Ｘ、１９２Ｘ２、１９６、１９６Ｂ）を介して前記デジタルコンピュータ（１００、２００）に電気的に接続されている、デジタルコンピュータ（１００、２００）において、
ｄ）前記入力モジュール（１１０、２１０）は、前記モバイルデジタルコンピュータの前記前面表面（１２１）を介して、手の少なくとも１本の指を使用して入力を実行するための、少なくとも１つのさらなる機能においてセットアップされており、および／または、
ｅ）前記入力モジュール（１１０、２１０）は、前記入力モジュール（１１０、２１０）を外部入力装置として使用するために前記デジタルコンピュータ（１００、２００）から機械的に分離するための、少なくとも１つのさらなる機能においてセットアップされていることを特徴とする、デジタルコンピュータ（１００、２００）。
【請求項２】
前記入力モジュール（１１０、２１０）は、前記デジタルコンピュータ（１００、２００）から機械的に分離されている場合に、外部マウス装置として使用されることが可能であることを特徴とする、請求項１に記載のデジタルコンピュータ（１００、２００）。
【請求項３】
前記入力モジュール（１１０、２１０）は、その機械的に結合された、または分離された状態において、マウス機能を有するかまたは有さずに、
−  ジョイスティックを有する特殊なモジュール（Ｂ）として、
−  チップカード受け入れモジュールＰとして、
−  ネットワーク接続のためのアダプタカードモジュールおよびその他のシステム拡張モジュールとして、
−  衛星信号を受信および／または送信するためのモジュールとして、
−  電気通信モジュール（ＧＳＭ、モデム、ＧＰＲＳ、ＩＳＤＮ、ＵＭＴＳ）として、
−  位置検出モジュール（ＧＰＳ、ガリレオ（Ｇａｌｉｌｅｏ））として、
−  携帯無線電話機として、
−  ＰＤＡとして、
−  リモートコントロールとして、
−  ＵＳＢまたはファイアーワイヤー（ＦｉｒｅＷｉｒｅ）インタフェースモジュールとして、
−  ｐｉｎおよび／またはキー入力を有する表示モジュールとして、
−  メディアプレーヤーとして、および／または、
−  レーザーポインタとして、
構築されることを特徴とする、請求項１または２のいずれか一項に記載のデジタルコンピュータ（１００、２００）。
【請求項４】
前記入力モジュール（１１０、２１０）を使用した、情報の前記入力および／または操作は、
−  ユーザの手の、または手の少なくとも一本の指の、対応する動きによる、前記デジタルコンピュータ（１００、２００）の前記ディスプレイ（１０２、２０２）上のカーソルを制御するための相対位置データの入力、
−  メニューおよび選択情報の挿入、
−  ページ移動、
−  スクロール
−  別の操作モードへの切り替え、
−  装置および／またはソフトウェア特性のセットアップ、
−  前記ディスプレイ（１０２、２０２）上での情報提供、
−  前記ディスプレイ（１０２、２０２）上での情報選択、
−  前記ディスプレイ（１０２、２０２）上に表示された情報の選択および／または印付け、
−  前記ディスプレイ（１０２、２０２）上に表示された情報の移動、
−  印付けられた情報または入力された情報の確認、
−  前記ディスプレイ（１０２、２０２）上に表示された、または表示されていない、その他の機能の実行、
−  ＰＩＮまたはパスワード情報の入力、
−  前記デジタルコンピュータのスイッチのオンおよびオフ、
−  画面のスイッチのオンおよびオフ、
−  ペン入力モードの活動化または非活動化、および／または、
−  省エネルギーモードの活動化または非活動化、
による機能グループからの少なくとも１つの機能を含むことを特徴とする、請求項１〜３のいずれか一項に記載のデジタルコンピュータ（１００、２００）。
【請求項５】
前記入力モジュール（１１０、２１０）は、操作要素として、少なくとも１つのスライドパッド（１１２）、１つのキー（１１３、１１４）、１つのジョグダイヤル、１つのローラーボール（１３５）、１つの容量型センサ、１つの感圧式スクリーン、１つの多機能キー、１つの４ウェイロッカーキー、および／または、その他のキーを呈示することを特徴とする、請求項１〜４のいずれか一項に記載のデジタルコンピュータ（１００、２００）。
【請求項６】
前記デジタルコンピュータ（１００、２００）は、前記入力モジュール（１１０、２１０）が少なくとも２つの側から到達されることが可能となるように、前記入力モジュール（１１０、２１０）を受け入れる、結合ベイ（１０７）を呈示することを特徴とする、請求項１〜５のいずれか一項に記載のデジタルコンピュータ（１００、２００）。
【請求項７】
前記入力モジュール（１１０、２１０）および／または前記デジタルコンピュータ（１００、２００）は、前記ハウジング（１０１、１０３）を基準にして動かされることが可能な、前記入力モジュール（１１０、２１０）の相対移動によって構成されることを特徴とする、請求項１〜６のいずれか一項に記載のデジタルコンピュータ（１００、２００）。
【請求項８】
構成のための前記相対移動は、前記入力モジュール（１１０）を前記結合ベイ（１０７）から取り外し、そして、（前記入力モジュール（１１０）が垂直軸のまわりで、または水平軸のまわりで回転させられて、前記結合ベイ（１０７）内に挿入されることが可能なような方法で）変更された向きで前記結合ベイ（１０７）内に挿入することにより実行されることを特徴とする、請求項７に記載のデジタルコンピュータ（１００）。
【請求項９】
変更された向きでの前記挿入のために、前記結合ベイ（１０７）において、および／または、前記入力モジュール（１１０）において、少なくとも１つのさらなるインタフェース（１９２Ｘ２）が提供されることを特徴とする、請求項８に記載のデジタルコンピュータ（１００）。
【請求項１０】
構成のための前記相対移動は、入力表面に平行に配置された回転軸（１３０）を中心として前記入力モジュール（１１０）を回転させることにより行われることを特徴とする、請求項７〜９のいずれか一項に記載のデジタルコンピュータ（１００、２００）。
【請求項１１】
前記入力モジュール（１１０）は、前記結合ベイ（１０７）内への前記結合状態において少なくとも２つの側から操作されることが可能な入力手段を、少なくとも２つの側において呈示することを特徴とする、請求項１〜１０のいずれか一項に記載のデジタルコンピュータ（１００、２００）。
【請求項１２】
前記デジタルコンピュータおよび前記入力モジュールは、入力のために組み合わせて操作されることが可能な、複数の入力手段を呈示することを特徴とする、請求項１〜１１のいずれか一項に記載のデジタルコンピュータ（１００、２００）。
【請求項１３】
前記デジタルコンピュータ（１００、２００）は、その背面表面（１２０、２０３）上に結合ベイ（１５１、２５０）を呈示し、前記入力モジュール（１１０、２１０）は、結合ベイ（１５１、２５０）から取り外されて、前記前面表面（１２１）上の第２の結合ベイ（１５０）内に挿入されるか、外部マウスモジュールとして、機械的に分離されて使用されることが可能であることを特徴とする、請求項１〜５のいずれか一項に記載のデジタルコンピュータ（１００、２００）。
【請求項１４】
前記入力手段の操作モード、および／または、前記ディスプレイ（１０２、２０２）の表示モードは、前記入力装置（１１０）の構成、および／または、装置姿勢または装置位置に依存して自動的に設定されること、および／または、ユーザ（１０６）の入力によって設定されることが可能であることを特徴とする、請求項１〜１３のいずれか一項に記載のデジタルコンピュータ（１００、２００）。
【請求項１５】
前記入力モジュール（１１０、２１０）は独自のバッテリ（１９９）を有し、前記挿入された状態において、前記バッテリ（１９９）は前記モバイルデジタルコンピュータを介して充電されることが可能であることを特徴とする、請求項１〜１４のいずれか一項に記載のデジタルコンピュータ（１００、２００）。
【請求項１６】
無線信号による、赤外線信号による、またはワイヤ接続された方法での、データ伝送のための有効な結合が、前記デジタルコンピュータ（１００、２００）と前記入力モジュール（１１０、２１０）との間で確立されることが可能であることを特徴とする、請求項１〜１５のいずれか一項に記載のデジタルコンピュータ（１００、２００）。
【請求項１７】
前記入力モジュール（１１０、２１０）の少なくとも１つのインタフェース（１９５Ａ、１９５Ｂ、１９５Ｃ、１９５Ｄ）は、電源（Ｐ）およびデータトラフィック（Ｄ）の両方を提供することを特徴とする、請求項１〜１６のいずれか一項に記載のデジタルコンピュータ（１００、２００）。
【請求項１８】
前記入力モジュール（１１０）は、機械的に分離された場合、ワイヤレスデータ接続に切り替わり、外部入力モジュールとして有効なままになることを特徴とする、請求項１〜１７のいずれか一項に記載のデジタルコンピュータ（１００、２００）。
【国際調査報告】
2007527045.tif 000044
2007527045.tif 000045
2007527045.tif 000046
2007527045.tif 000047
2007527045.tif 000048
2007527045.tif 000049
2007527045.tif 000050
2007527045.tif 000051
2007527045.tif 000052
2007527045.tif 000053
2007527045.tif 000054
2007527045.tif 000055